(57)【要約】  画像共有システム１の個人端末装置５は、画像共有処理の開始を認識するごとに配信要求情報をサーバ装置４へ送信して、接続先共用端末装置３の共用端末情報と、個人端末画像共有ソフトウェアと、をサーバ装置４からダウンロードする。そして、個人端末画像共有ソフトウェアをインストールせずに実行して、共用端末情報に対応する接続先共用端末装置３との間で、サーバ装置４を介さずに画像を送受信して共有する画像共有処理を実施する。
2010119522.tif 000002
【特許請求の範囲】
【請求項１】
所定の画像を表示可能な第１の端末表示手段を有する第１の端末装置と、  所定の画像を表示可能な第２の端末表示手段を有し、前記第１の端末装置にネットワークを介して接続可能な第２の端末装置と、  前記第１の端末装置および前記第２の端末装置に前記ネットワークを介して接続可能なサーバ装置と、を具備し、  前記第２の端末装置で表示された画像を前記第１の端末装置でも同時に表示させる画像共有処理を実施する画像共有システムであって、  前記サーバ装置は、  前記第１の端末装置を特定する第１の端末情報および前記第２の端末装置で前記画像共有処理を実施するための第２の画像共有ソフトウェアを記憶するサーバ記憶手段と、  前記第２の端末装置から送信される配信要求情報に基づいて、前記第１の端末情報および前記第２の画像共有ソフトウェアを前記第２の端末装置へ配信するサーバ配信手段と、を備え、  前記第１の端末装置は、前記画像共有処理を実施するための第１の画像共有ソフトウェアを取得して、この第１の画像共有ソフトウェアに基づいて前記第２の端末装置との間で前記画像共有処理を実施する第１の画像共有処理手段を備え、  前記第２の端末装置は、  前記画像共有処理の開始を認識するごとに、前記配信要求情報を前記サーバ装置へ送信する配信要求情報送信手段と、  前記配信要求情報に対応する前記第１の端末情報および前記第２の画像共有ソフトウェアを取得するデータ取得手段と、  このデータ取得手段で前記第２の画像共有ソフトウェアが取得されると、前記第２の画像共有ソフトウェアを実行して、前記第１の端末情報で特定される第１の端末装置との間で前記サーバ装置を介さずに前記画像共有処理を実施する第２の画像共有処理手段と、を備えている  ことを特徴とする画像共有システム。
【請求項２】
請求項１に記載の画像共有システムにおいて、  前記サーバ装置は、  前記サーバ記憶手段に前記第１の端末情報が記憶されている複数の前記第１の端末装置のうち、前記第１の画像共有ソフトウェアを実行中であり前記第２の端末装置との間で前記画像共有処理を実施可能な前記第１の端末装置を認識する画像共有可能端末認識手段を備え、  前記サーバ配信手段は、前記配信要求情報に基づいて、前記画像共有処理を実施可能と前記画像共有可能端末認識手段で認識されている前記第１の端末装置の前記第１の端末情報を前記第２の端末装置へ配信する  ことを特徴とする画像共有システム。
【請求項３】
請求項２に記載の画像共有システムにおいて、  前記サーバ装置は、  前記画像共有可能端末認識手段で前記画像共有処理を実施可能と認識された複数の前記第１の端末装置から少なくともいずれか１つの第１の端末装置の選択を要求する選択要求情報を前記第２の端末装置へ送信する選択要求手段を備え、  前記第２の端末装置は、  各種情報を設定入力可能な端末入力手段と、  前記選択要求情報に基づく前記要求を報知する報知手段と、  前記端末入力手段による設定入力に基づいて、前記少なくともいずれか１つの第１の端末装置を選択する旨の選択結果情報を前記サーバ装置へ送信する選択結果情報送信手段と、を備え、  前記サーバ配信手段は、前記選択結果情報に基づく前記第１の端末装置の第１の端末情報を前記第２の端末装置へ配信する  ことを特徴とする画像共有システム。
【請求項４】
請求項１から請求項３のいずれかに記載の画像共有システムにおいて、  前記サーバ記憶手段には、前記第１の端末情報を異なる内容に変換する規則に関する変換規則情報が記憶され、  前記サーバ装置は、  前記変換規則情報に基づいて前記第１の端末情報を変換する端末情報変換手段を備え、  前記サーバ配信手段は、前記端末情報変換手段で変換された前記第１の端末情報および前記変換規則情報を前記第２の端末装置へ配信し、  前記第２の端末装置は、  各種情報を設定入力可能な端末入力手段を備え、  前記第２の画像共有処理手段は、前記変換された第１の端末情報を表示させる変換後情報表示処理を実施する  ことを特徴とする画像共有システム。
【請求項５】
所定の画像を表示可能な第１の端末表示手段を有する第１の端末装置と、  所定の画像を表示可能な第２の端末表示手段を有し、前記第１の端末装置にネットワークを介して接続可能な第２の端末装置と、を具備し、  前記第２の端末装置で表示された画像を前記第１の端末装置でも同時に表示させる画像共有処理を実施する画像共有システムであって、  前記第１の端末装置は、  前記第２の端末装置で前記画像共有処理を実施するための第２の画像共有ソフトウェアを記憶する第１の端末記憶手段と、  前記第２の端末装置から送信される配信要求情報に基づいて、前記第２の画像共有ソフトウェアを前記第２の端末装置へ配信する第１の端末配信手段と、  前記画像共有処理を実施するための第１の画像共有ソフトウェアを取得して、この第１の画像共有ソフトウェアに基づいて前記第２の端末装置との間で前記画像共有処理を実施する第１の画像共有処理手段と、を備え、  前記第２の端末装置は、  前記画像共有処理の開始を認識するごとに、前記配信要求情報を前記第１の端末装置へ送信する配信要求情報送信手段と、  前記配信要求情報に対応する前記第２の画像共有ソフトウェアを取得するデータ取得手段と、  このデータ取得手段で前記第２の画像共有ソフトウェアが取得されると、前記第２の画像共有ソフトウェアを実行して、前記第１の端末装置との間で前記画像共有処理を実施する第２の画像共有処理手段と、を備えている  ことを特徴とする画像共有システム。
【請求項６】
請求項１から請求項５のいずれかに記載の画像共有システムにおいて、  前記第２の画像共有処理手段は、前記第２の画像共有ソフトウェアをインストールせずに実行して、前記画像共有処理を実施する  ことを特徴とする画像共有システム。
【請求項７】
所定の画像を表示可能な第１の端末表示手段を有する少なくとも１つの第１の端末装置と、所定の画像を表示可能な第２の端末表示手段を有し、前記第１の端末装置にネットワークを介して接続可能な第２の端末装置と、に前記ネットワークを介して接続可能であり、  前記第２の端末装置で表示された画像を前記第１の端末装置でも同時に表示させる画像共有処理を制御するサーバ装置であって、  前記第１の端末装置を特定する第１の端末情報および前記第２の端末装置で前記画像共有処理を実施するための第２の画像共有ソフトウェアを記憶するサーバ記憶手段と、  前記サーバ記憶手段に前記第１の端末情報が記憶されている前記第１の端末装置のうち、前記画像共有処理を実施するための第１の画像共有ソフトウェアを実行中であり前記第２の端末装置との間で前記画像共有処理を実施可能な前記第１の端末装置を認識する画像共有可能端末認識手段と、  前記第２の端末装置から送信される配信要求情報に基づいて、前記画像共有処理を実施可能と前記画像共有可能端末認識手段で認識されている前記第１の端末装置の前記第１の端末情報および前記第２の画像共有ソフトウェアを前記第２の端末装置へ配信し、この配信に応答して前記第２の端末装置で前記第２の画像共有ソフトウェアを実行させて、前記第１の端末情報で特定される第１の端末装置との間で前記サーバ装置を介さずに前記画像共有処理を実施させるサーバ配信手段と、  を備えていることを特徴とするサーバ装置。
【請求項８】
請求項７に記載のサーバ装置において、  前記サーバ記憶手段には、前記第１の端末情報を異なる内容に変換する規則に関する変換規則情報が記憶され、  前記変換規則情報に基づいて前記第１の端末情報を変換する端末情報変換手段を備え、  前記サーバ配信手段は、前記端末情報変換手段で変換された前記第１の端末情報および前記変換規則情報を前記第２の端末装置へ配信し、前記第２の端末装置で前記変換規則情報に基づき前記変換される前の第１の端末情報を表示させる  ことを特徴とするサーバ装置。
【請求項９】
所定の画像を表示可能な第１の端末表示手段を有する第１の端末装置と、  所定の画像を表示可能な第２の端末表示手段を有し、前記第１の端末装置にネットワークを介して接続可能な第２の端末装置と、  前記第１の端末装置および前記第２の端末装置に前記ネットワークを介して接続可能なサーバ装置と、を用い、  前記第２の端末装置で表示された画像を前記第１の端末装置でも同時に表示させる画像共有処理を実施する画像共有方法であって、  前記サーバ装置に、前記第１の端末装置を特定する第１の端末情報および前記第２の端末装置で前記画像共有処理を実施するための第２の画像共有ソフトウェアを記憶するサーバ記憶手段を設け、  前記第２の端末装置で前記画像共有処理の開始を認識するごとに、前記第２の端末装置から前記サーバ装置へ配信要求情報を送信する工程と、  前記配信要求情報に基づいて、前記サーバ装置から前記第２の端末装置へ前記第１の端末情報および前記第２の画像共有ソフトウェアを配信する工程と、  前記第２の端末装置で前記第２の画像共有ソフトウェアが取得されると、前記第２の画像共有ソフトウェアを実行して、前記第２の端末装置と前記第１の端末情報で特定され、第１の画像共有ソフトウェアに基づき画像共有処理を実施可能な第１の端末装置との間で前記サーバ装置を介さずに前記画像共有処理を実施する工程と、を実施する  ことを特徴とする画像共有方法。
【請求項１０】
所定の画像を表示可能な第１の端末表示手段を有する第１の端末装置と、  所定の画像を表示可能な第２の端末表示手段を有し、前記第１の端末装置にネットワークを介して接続可能な第２の端末装置と、を用い、  前記第２の端末装置で表示された画像を前記第１の端末装置でも同時に表示させる画像共有処理を実施する画像共有方法であって、  前記第１の端末装置に、前記第２の端末装置で前記画像共有処理を実施するための第２の画像共有ソフトウェアを記憶する第１の端末記憶手段を設け、  前記第２の端末装置で前記画像共有処理の開始を認識するごとに、前記第２の端末装置から前記第１の端末装置へ配信要求情報を送信する工程と、  前記配信要求情報に基づいて、前記第１の端末装置から前記第２の画像共有ソフトウェアを前記第２の端末装置へ配信する工程と、  前記第２の端末装置で前記第２の画像共有ソフトウェアが取得されると、前記第２の画像共有ソフトウェアを実行して、前記第２の端末装置と第１の画像共有ソフトウェアに基づき画像共有処理を実施可能な前記第１の端末装置との間で前記サーバ装置を介さずに前記画像共有処理を実施する工程と、を実施する  ことを特徴とする画像共有方法。
【請求項１１】
コンピュータを請求項７または請求項８に記載のサーバ装置として機能させることを特徴とする画像共有制御プログラム。
【請求項１２】
請求項１１に記載の画像共有制御プログラムがコンピュータで読取可能に記録されたことを特徴とする画像共有制御プログラムを記録した記録媒体。
【発明の詳細な説明】
【技術分野】
【０００１】  本発明は、画像共有システム、サーバ装置、画像共有方法、画像共有制御方法、および、画像共有制御方法を記録した記録媒体に関する。
【背景技術】
【０００２】  従来、複数の端末装置間で画像を共有する構成が知られている（例えば、特許文献１参照）。  この特許文献１では、ユーザの端末装置（以下、ユーザ端末装置と称す）と、サポートセンタの端末装置（以下、サポート端末装置と称す）とがサーバにログインして、サーバを介して互いに接続する。サーバは、サポート端末装置からアップロードされた画像データに基づいて、表示データを生成する。そして、この表示データは、ユーザ端末装置へ送信されて表示されることで、サポート端末装置とユーザ端末装置で画像を共有している。
【先行技術文献】
【特許文献】
【０００３】
【特許文献１】特開２００３−１０８５０４号公報
【発明の概要】
【発明が解決しようとする課題】
【０００４】  しかしながら、特許文献１のような構成では、サーバを介して画像を送受信しているため、画像を共有する端末装置が多くなるとサーバに負荷がかかってしまうおそれがある。このような負荷を低減させるためには、サーバのスペックを上げることが考えられるが、スペックを上げると、コストが増大してしまうという問題点がある。  また、ネットワーク経由で画像共有を実施する場合、その原因がネットワーク、もしくは自分の端末装置のネットワーク接続設定にあるのか画像共有ソフトウェア、画像共有ソフトウェアの設定にあるのかの判別がつかず、適切な対応を迅速にとれないという問題点がある。【０００５】  本発明の目的は、コストの増大を招くことなく接続不良時にも適切な対応をとることが可能な画像共有システム、サーバ装置、画像共有方法、画像共有制御方法、および、画像共有制御方法を記録した記録媒体を提供することである。
【課題を解決するための手段】
【０００６】  本発明の画像共有システムは、所定の画像を表示可能な第１の端末表示手段を有する第１の端末装置と、所定の画像を表示可能な第２の端末表示手段を有し、前記第１の端末装置にネットワークを介して接続可能な第２の端末装置と、前記第１の端末装置および前記第２の端末装置に前記ネットワークを介して接続可能なサーバ装置と、を具備し、前記第２の端末装置で表示された画像を前記第１の端末装置でも同時に表示させる画像共有処理を実施する画像共有システムであって、前記サーバ装置は、前記第１の端末装置を特定する第１の端末情報および前記第２の端末装置で前記画像共有処理を実施するための第２の画像共有ソフトウェアを記憶するサーバ記憶手段と、前記第２の端末装置から送信される配信要求情報に基づいて、前記第１の端末情報および前記第２の画像共有ソフトウェアを前記第２の端末装置へ配信するサーバ配信手段と、を備え、前記第１の端末装置は、前記画像共有処理を実施するための第１の画像共有ソフトウェアを取得して、この第１の画像共有ソフトウェアに基づいて前記第２の端末装置との間で前記画像共有処理を実施する第１の画像共有処理手段を備え、前記第２の端末装置は、前記画像共有処理の開始を認識するごとに、前記配信要求情報を前記サーバ装置へ送信する配信要求情報送信手段と、前記配信要求情報に対応する前記第１の端末情報および前記第２の画像共有ソフトウェアを取得するデータ取得手段と、このデータ取得手段で前記第２の画像共有ソフトウェアが取得されると、前記第２の画像共有ソフトウェアを実行して、前記第１の端末情報で特定される第１の端末装置との間で前記サーバ装置を介さずに前記画像共有処理を実施する第２の画像共有処理手段と、を備えていることを特徴とする。【０００７】  本発明の画像共有システムは、所定の画像を表示可能な第１の端末表示手段を有する第１の端末装置と、所定の画像を表示可能な第２の端末表示手段を有し、前記第１の端末装置にネットワークを介して接続可能な第２の端末装置と、を具備し、前記第２の端末装置で表示された画像を前記第１の端末装置でも同時に表示させる画像共有処理を実施する画像共有システムであって、前記第１の端末装置は、前記第２の端末装置で前記画像共有処理を実施するための第２の画像共有ソフトウェアを記憶する第１の端末記憶手段と、前記第２の端末装置から送信される配信要求情報に基づいて、前記第２の画像共有ソフトウェアを前記第２の端末装置へ配信する第１の端末配信手段と、前記画像共有処理を実施するための第１の画像共有ソフトウェアを取得して、この第１の画像共有ソフトウェアに基づいて前記第２の端末装置との間で前記画像共有処理を実施する第１の画像共有処理手段と、を備え、前記第２の端末装置は、前記画像共有処理の開始を認識するごとに、前記配信要求情報を前記第１の端末装置へ送信する配信要求情報送信手段と、前記配信要求情報に対応する前記第２の画像共有ソフトウェアを取得するデータ取得手段と、このデータ取得手段で前記第２の画像共有ソフトウェアが取得されると、前記第２の画像共有ソフトウェアを実行して、前記第１の端末装置との間で前記画像共有処理を実施する第２の画像共有処理手段と、を備��ていることを特徴とする。【０００８】  本発明のサーバ装置は、所定の画像を表示可能な第１の端末表示手段を有する少なくとも１つの第１の端末装置と、所定の画像を表示可能な第２の端末表示手段を有し、前記第１の端末装置にネットワークを介して接続可能な第２の端末装置と、に前記ネットワークを介して接続可能であり、前記第２の端末装置で表示された画像を前記第１の端末装置でも同時に表示させる画像共有処理を制御するサーバ装置であって、前記第１の端末装置を特定する第１の端末情報および前記第２の端末装置で前記画像共有処理を実施するための第２の画像共有ソフトウェアを記憶するサーバ記憶手段と、前記サーバ記憶手段に前記第１の端末情報が記憶されている前記第１の端末装置のうち、前記画像共有処理を実施するための第１の画像共有ソフトウェアを実行中であり前記第２の端末装置との間で前記画像共有処理を実施可能な前記第１の端末装置を認識する画像共有可能端末認識手段と、前記第２の端末装置から送信される配信要求情報に基づいて、前記画像共有処理を実施可能と前記画像共有可能端末認識手段で認識されている前記第１の端末装置の前記第１の端末情報および前記第２の画像共有ソフトウェアを前記第２の端末装置へ配信し、この配信に応答して前記第２の端末装置で前記第２の画像共有ソフトウェアを実行させて、前記第１の端末情報で特定される第１の端末装置との間で前記サーバ装置を介さずに前記画像共有処理を実施させるサーバ配信手段と、を備えていることを特徴とする。【０００９】  本発明の画像共有方法は、所定の画像を表示可能な第１の端末表示手段を有する第１の端末装置と、所定の画像を表示可能な第２の端末表示手段を有し、前記第１の端末装置にネットワークを介して接続可能な第２の端末装置と、前記第１の端末装置および前記第２の端末装置に前記ネットワークを介して接続可能なサーバ装置と、を用い、前記第２の端末装置で表示された画像を前記第１の端末装置でも同時に表示させる画像共有処理を実施する画像共有方法であって、前記サーバ装置に、前記第１の端末装置を特定する第１の端末情報および前記第２の端末装置で前記画像共有処理を実施するための第２の画像共有ソフトウェアを記憶するサーバ記憶手段を設け、前記第２の端末装置で前記画像共有処理の開始を認識するごとに、前記第２の端末装置から前記サーバ装置へ配信要求情報を送信する工程と、前記配信要求情報に基づいて、前記サーバ装置から前記第２の端末装置へ前記第１の端末情報および前記第２の画像共有ソフトウェアを配信する工程と、前記第２の端末装置で前記第２の画像共有ソフトウェアが取得されると、前記第２の画像共有ソフトウェアを実行して、前記第２の端末装置と前記第１の端末情報で特定され、第１の画像共有ソフトウェアに基づき画像共有処理を実施可能な第１の端末装置との間で前記サーバ装置を介さずに前記画像共有処理を実施する工程と、を実施することを特徴とする。【００１０】  本発明の画像共有方法は、所定の画像を表示可能な第１の端末表示手段を有する第１の端末装置と、所定の画像を表示可能な第２の端末表示手段を有し、前記第１の端末装置にネットワークを介して接続可能な第２の端末装置と、を用い、��記第２の端末装置で表示された画像を前記第１の端末装置でも同時に表示させる画像共有処理を実施する画像共有方法であって、前記第１の端末装置に、前記第２の端末装置で前記画像共有処理を実施するための第２の画像共有ソフトウェアを記憶する第１の端末記憶手段を設け、前記第２の端末装置で前記画像共有処理の開始を認識するごとに、前記第２の端末装置から前記第１の端末装置へ配信要求情報を送信する工程と、前記配信要求情報に基づいて、前記第１の端末装置から前記第２の画像共有ソフトウェアを前記第２の端末装置へ配信する工程と、前記第２の端末装置で前記第２の画像共有ソフトウェアが取得されると、前記第２の画像共有ソフトウェアを実行して、前記第２の端末装置と第１の画像共有ソフトウェアに基づき画像共有処理を実施可能な前記第１の端末装置との間で前記サーバ装置を介さずに前記画像共有処理を実施する工程と、を実施することを特徴とする。【００１１】  本発明の画像共有制御プログラムは、コンピュータを上述のサーバ装置として機能させることを特徴とする。【００１２】  本発明の画像共有制御プログラムを記録した記録媒体は、上述の画像共有制御プログラムがコンピュータで読取可能に記録されたことを特徴とする。
【図面の簡単な説明】
【００１３】
【図１】本発明の第１，第２実施形態に係る画像共有システムの概略構成を示すブロック図である。
【図２】前記第１実施形態における第１〜第３の共用端末装置の概略構成を示すブロック図である。
【図３】前記第１，第２実施形態におけるサーバ装置の概略構成を示すブロック図である。
【図４】前記第１実施形態における個人端末装置の概略構成を示すブロック図である。
【図５】前記第１実施形態におけるサーバ装置の全体動作を示すフローチャートである。
【図６】前記第１実施形態におけるサーバ装置の共用端末装置向け配信処理を示すフローチャートである。
【図７】前記第１実施形態におけるサーバ装置の画像共有可能端末認識処理を示すフローチャートである。
【図８】前記第１実施形態におけるサーバ装置の個人端末装置向け選択要求処理を示すフローチャートである。
【図９】前記第１実施形態におけるサーバ装置の個人端末装置向け配信処理を示すフローチャートである。
【図１０】前記第１実施形態における第１の共用端末装置の動作を示すフローチャートである。
【図１１】前記第１実施形態における個人端末装置の動作を示すフローチャートである。
【図１２】前記第１，第２実施形態および本発明の変形例に係る個人端末装置の動作を示すフローチャートである。
【図１３】前記第２実施形態における第１〜第３の共用端末装置の概略構成を示すブロック図である。
【図１４】前記第２実施形態における個人端末装置の概略構成を示すブロック図である。
【図１５】前記第２実施形態における第１の共用端末装置の動作を示すフローチャートである。
【図１６】前記第２実施形態における個人端末装置の動作を示すフローチャートである。
【図１７】本発明の第３実施形態に係る画像共有システムの概略構成を示すブロック図である。
【図１８】前記第３実施形態における第１の共用端末装置の概略構成を示すブロック図である。
【図１９】前記変形例におけるサーバ装置の概略構成を示すブロック図である。
【図２０】前記変形例における個人端末装置の動作を示すフローチャートである。
【発明を実施するための形態】
【００１４】［第１実施形態］  以下、本発明に係る第１実施形態を図面に基づいて説明する。  この第１実施形態および後述する第２，第３実施形態では、１つの端末装置で表示中の画像を他の端末装置で同時に表示させる画像共有処理を実施する画像共有システムを例示して説明する。また、第１，第３実施形態では、画像共有処理を実施するためのソフトウェアをインストールせずに実行する構成を例示し、第２実施形態では、画像共有処理を実施するためのソフトウェアをインストールしてから実行する構成を例示する。さらに、第３実施形態は、第１実施形態の変形例であり、１０進数で表された前記他の端末装置のＩＰアドレスを１６進数に変換して、前記１つの端末装置で表示させる構成を例示して説明する。なお、画像共有処理における「同時」とは、厳密な意味での同一のタイミングに加えて、若干のタイミングのずれも含む概念である。
【００１５】  ｛画像共有システムの構成｝  まず、画像共有システムの構成について説明する。  図１は、第１，第２実施形態に係る画像共有システムの概略構成を示すブロック図である。図２は、第１〜第３の共用端末装置の概略構成を示すブロック図である。図３は、サーバ装置の概略構成を示すブロック図である。図４は、個人端末装置の概略構成を示すブロック図である。
【００１６】  図１に示すように、画像共有システム１は、ネットワーク２と、第１の端末装置としての第１，第２，第３の共用端末装置３Ａ，３Ｂ，３Ｃと、サーバ装置４と、第２の端末装置としての２個の個人端末装置５と、を備えている。以下において、第１〜第３の共用端末装置３Ａ〜３Ｃのうちの任意のものについて説明する際には、共用端末装置３と表現する。なお、共用端末装置３や個人端末装置５の数としては、上述した個数に限られない。  ネットワーク２は、第１〜第３の共用端末装置３Ａ〜３Ｃと、サーバ装置４と、個人端末装置５とを、各種情報を送受信可能に接続する。
【００１７】  第１〜第３の共用端末装置３Ａ〜３Ｃは、不特定のユーザが利用可能に例えば会議室などに設置されたデスクトップあるいはラップトップ型のコンピュータであり、図２に示すように、図示しない操作ボタンなどを有する共用端末入力手段３１と、個人端末装置５と共有する図示しない画像を表示可能な第１の端末表示手段としての共用端末表示手段３２と、例えばメモリである共用端末主記憶手段３３と、例えばハードディスクである共用端末補助記憶手段３４と、共用端末制御部３５と、を備えている。ここで、共用端末表示手段３２としては、共用端末入力手段３１、共用端末主記憶手段３３、共用端末補助記憶手段３４および共用端末制御部３５と一体型のものであっても良いし、別体型のものであっても良い。また、共用端末表示手段３２としては、液晶パネルやＰＤＰ（Plasma Display Panel）あるいは液晶プロジェクタなどであっても良い。  共用端末主記憶手段３３には、サーバ装置４からダウンロードされた第１の画像共有ソフトウェアとしての共用端末画像共有ソフトウェア４１１が展開される。  第１の共用端末装置３Ａの共用端末補助記憶手段３４には、第１の共用端末装置３Ａに関する第１の端末情報としての第１の共用端末情報３４１Ａが、第２の共用端末装置３Ｂの共用端末補助記憶手段３４には、第２の共用端末装置３Ｂに関する第１の端末情報としての第２の共用端末情報３４１Ｂが、第３の共用端末装置３Ｃの共用端末補助記憶手段３４には、第３の共用端末装置３Ｃに関する第１の端末情報としての第３の共用端末情報３４１Ｃが、それぞれ記憶されている。第１〜第３の共用端末情報３４１Ａ〜３４１Ｃは、少なくとも第１〜第３の共用端末装置３Ａ〜３Ｃを特定可能な情報を備えており、画像共有品質を制御するための品質情報などをさらに備えていても良い。第１，第２，第３の共用端末装置３Ａ，３Ｂ，３Ｃを特定可能な情報は、第１，第２，第３の共用端末装置３Ａ，３Ｂ，３ＣのＩＰアドレスであり１０進数の「１７２．２４．１１．１５７」（図１参照）、「１７２．２４．１１．１５８」（図１参照）、「１７２．２４．１１．１５９」（図１参照）を表すものである。  なお、本発明の第１の端末情報に含まれる端末装置を特定可能な情報としては、ＩＰアドレスにポートやシリアルナンバを組み合わせたものを用いても良い。また、第１〜第３の共用端末情報３４１Ａ〜３４１Ｃのうちの任意のものについて説明する際には、共用端末情報３４１と表現する。
【００１８】  共用端末制御部３５は、各種プログラムで構成された、共用端末ダウンロード手段３５１と、第１の画像共有処理手段としての共用端末画像共有処理手段３５２と、を備えている。  共用端末ダウンロード手段３５１は、ユーザによる設定入力に基づきサーバ装置４から共用端末画像共有ソフトウェア４１１をダウンロードする。  共用端末画像共有処理手段３５２は、ユーザにより共用端末画像共有ソフトウェア４１１を実行する旨の設定入力がされたときに、共用端末主記憶手段３３に記憶された共用端末画像共有ソフトウェア４１１がインストールされずに、共用端末主記憶手段３３に展開されて実行されると、画像共有処理をする。そして、例えば、第１の共用端末装置３Ａの共用端末画像共有処理手段３５２は、ユーザによる共用端末入力手段３１の設定入力に基づいて、第１の共用端末情報３４１Ａをサーバ装置４へ送信することで、第１の共用端末装置３Ａを個人端末装置５との画像共有処理を実施可能な装置として登録する。そして、個人端末装置５からの画像共有接続要求を認識すると、この個人端末装置５との間で画像共有処理を実施する。  また、共用端末画像共有処理手段３５２は、ユーザにより共用端末画像共有ソフトウェア４１１を終了する旨の設定入力がされたときに、共用端末主記憶手段３３から共用端末画像共有ソフトウェア４１１を消去する。このように、共用端末画像共有処理手段３５２では、共用端末画像共有ソフトウェア４１１をインストールしないで実行するため、共用端末画像共有ソフトウェア４１１を終了させた後に画像共有処理を再度実施する場合、新たに共用端末画像共有ソフトウェア４１１をサーバ装置４からダウンロードする。なお、共用端末画像共有処理手段３５２にて、共用端末画像共有ソフトウェア４１１をダウンロードした後にユーザの設定入力の有無に関わらず自動的に実行しても良い。また、共用端末制御部３５の詳細な動作については、後述する。
【００１９】  ここで、「共用端末画像共有ソフトウェア４１１をインストールせずに実行する」という内容について、詳細に説明する。  インストールとは、アプリケーションソフトウェア（以下、アプリケーションと称す）を構成するプログラムやデータなどをハードディスクなどの共用端末補助記憶手段３４などにコピーして、必要な設定を行うことをいう。要は、共用端末補助記憶手段３４にアプリケーションを格納（保存）することをいう。これにより、次回からのアプリケーションの起動は、共用端末補助記憶手段３４よりプログラムやデータなどを読み出すことによって、達成できる。  これに対して、本実施形態における「インストールせずに実施する」とは、ダウンロードしたプログラムやデータなどをメモリなどの共用端末主記憶手段３３に展開することで、アプリケーションを実行することをいう。アプリケーションを共用端末主記憶手段３３に展開するのみなので、アプリケーションの終了など、共用端末主記憶手段３３上にアプリケーションが存在する意味がなくなった時点でアプリケーションは消去される。よって、次回、アプリケーションを起動する際には、上述したように、共用端末画像共有処理手段３５２は、新たに共用端末画像共有ソフトウェア４１１をサーバ装置４からダウンロードする。  なお、ＷＥＢからのブラウザ経由でアプリケーションをダウンロードする仕組みにおいては、共用端末補助記憶手段３４にテンポラリフォルダなる領域をつくり、そこに一時退避するという仕組みをとるのが一般的である。このような場合、テンポラリフォルダの内容は一時退避にすぎないので、共用端末補助記憶手段３４に格納（保存）することにはならず、本実施形態の「インストールせずに実施する」という概念に含まれる。
【００２０】  サーバ装置４は、コンピュータであり、図３に示すように、例えばハードディスクであるサーバ記憶手段４１と、サーバ制御部４２と、を備えている。  サーバ記憶手段４１には、共用端末装置３に画像共有処理を実施させるための共用端末画像共有ソフトウェア４１１と、個人端末装置５に画像共有処理を実施させるための第２の画像共有ソフトウェアとしての個人端末画像共有ソフトウェア４１２と、第１〜第３の共用端末情報３４１Ａ〜３４１Ｃと、が記憶されている。なお、第１〜第３の共用端末情報３４１Ａ〜３４１Ｃの全てが記憶されるのは、第１〜第３の共用端末装置３Ａ〜３Ｃの全てが画像共有可能な装置として登録されている場合であり、例えば、第１の共用端末装置３Ａのみが登録されている場合、第１の共用端末情報３４１Ａのみが記憶される。
【００２１】  サーバ制御部４２は、本発明の画像共有制御プログラムで構成された、共用端末登録手段４２１と、画像共有可能端末認識手段４２２と、選択要求手段４２３と、サーバ配信手段４２４と、を備えている。  共用端末登録手段４２１は、第１〜第３の共用端末装置３Ａ〜３Ｃから送信される第１〜第３の共用端末情報３４１Ａ〜３４１Ｃを受信して、サーバ記憶手段４１に記憶させる。  画像共有可能端末認識手段４２２は、共用端末画像共有ソフトウェア４１１の実行中で画像共有処理を実施可能な共用端末装置３を認識する。  選択要求手段４２３は、個人端末装置５から配信要求情報を受信すると、画像共有可能端末認識手段４２２で画像共有処理を実施可能と認識された共用端末装置３のうち、少なくともいずれか１つを選択する旨を要求する選択要求情報としての図示しない接続先選択要求画像を個人端末装置５へ送信する。なお、選択要求手段４２３が接続先選択要求画像を送信するタイミングは、個人端末装置５からの要求を認識したときでも良いし、個人端末装置５との接続確立を認識したときでも良い。  サーバ配信手段４２４は、共用端末画像共有ソフトウェア４１１を第１〜第３の共用端末装置３Ａ〜３Ｃへ配信する。また、サーバ配信手段４２４は、個人端末装置５から画像共有処理を実施可能と認識された共用端末装置３から接続先共用端末装置３が選択された旨の選択結果情報を受信すると、個人端末画像共有ソフトウェア４１２と、接続先共用端末装置３の共用端末情報３４１とを個人端末装置５へ配信する。  なお、サーバ制御部４２の詳細な動作については、後述する。
【００２２】  個人端末装置５は、特定のユーザの机に設置されたあるいは当該ユーザが所有するデスクトップあるいはラップトップ型のコンピュータであり、図４に示すように、図示しない操作ボタンなどを有する端末入力手段としての個人端末入力手段５１と、第１〜第３の共用端末装置３Ａ〜３Ｃと共有する画像などを表示可能な第２の端末表示手段および報知手段としての個人端末表示手段５２と、個人端末画像共有ソフトウェア４１２を一時的に記憶する例えばメモリである個人端末主記憶手段５３と、個人端末情報５４１を記憶する例えばハードディスクである個人端末補助記憶手段５４と、個人端末制御部５５と、を備えている。  個人端末制御部５５は、各種プログラムで構成された、配信要求情報送信手段５５１と、選択結果情報送信手段５５２と、データ取得手段としての個人端末ダウンロード手段５５３と、第２の画像共有処理手段としての個人端末画像共有処理手段５５４と、を備えている。
【００２３】  配信要求情報送信手段５５１は、ユーザによる個人端末入力手段５１の設定入力に基づき画像共有処理の開始を認識すると、ＷＥＢブラウザを起動して、図示しないブラウザ画面を個人端末表示手段５２で表示させる。そして、サーバ装置４との接続を確立できたか否かを判断し、確立できないと判断した場合、確立できない原因がネットワーク２の不良である旨を個人端末表示手段５２で表示させる。一方、確立できたと判断した場合、その旨の配信要求情報をサーバ装置４へ送信する。  選択結果情報送信手段５５２は、サーバ装置４との接続が確立されると、サーバ装置４から接続先選択要求画像を受信してブラウザ画面で表示させる。また、選択結果情報送信手段５５２は、ユーザによる設定入力に基づき、画像共有処理を実施可能な共用端末装置３から接続先共用端末装置３が選択されると、その旨の選択結果情報をサーバ装置４へ送信する。  個人端末ダウンロード手段５５３は、ユーザによる設定入力に基づきサーバ装置４から個人端末画像共有ソフトウェア４１２と、接続先共用端末装置３の共用端末情報３４１と、をダウンロードする。
【００２４】  個人端末画像共有処理手段５５４は、個人端末画像共有ソフトウェア４１２がダウンロードされ、ユーザの設定入力に基づき、個人端末画像共有ソフトウェア４１２がインストールされずに、個人端末主記憶手段５３に展開されて実行されると、画像共有処理を実施する。具体的には、個人端末画像共有処理手段５５４は、共用端末情報３４１のＩＰアドレスで特定される接続先共用端末装置３との間で接続を確立して、個人端末表示手段５２に表示させる画像をサーバ装置４を介さずに送信する。  また、個人端末画像共有処理手段５５４は、画像共有処理を終了すると、個人端末主記憶手段５３から個人端末画像共有ソフトウェア４１２を消去する。このように、個人端末画像共有処理手段５５４では、個人端末画像共有ソフトウェア４１２をインストールしないで実行するため、個人端末画像共有ソフトウェア４１２を終了させた後に画像共有処理を再度実施する場合、新たに個人端末画像共有ソフトウェア４１２をサーバ装置４からダウンロードする。なお、個人端末画像共有処理手段５５４にて、個人端末画像共有ソフトウェア４１２をダウンロードした後にユーザの設定入力の有無に関わらず自動的に実行しても良い。  なお、「個人端末画像共有ソフトウェア４１２をインストールせずに実行する」とは、上述の「共用端末画像共有ソフトウェア４１１をインストールせずに実行する」と同様の意味である。また、個人端末制御部５５の詳細な動作については、後述する。
【００２５】  ｛画像共有システムの動作｝  次に、画像共有システム１の動作について説明する。図５は、サーバ装置の動作を示すフローチャートである。図６は、サーバ装置の共用端末装置向け配信処理を示すフローチャートである。図７は、サーバ装置の画像共有可能端末認識処理を示すフローチャートである。図８は、サーバ装置の個人端末装置向け選択要求処理を示すフローチャートである。図９は、サーバ装置の個人端末装置向け配信処理を示すフローチャートである。図１０は、第１の共用端末装置の動作を示すフローチャートである。図１１および図１２は、個人端末装置の動作を示すフローチャートである。
【００２６】    （サーバ装置の動作）  画像共有システム１のサーバ装置４は、図５に示すように、共用端末装置向け配信処理（ステップＳ１１０）と、画像共有可能端末認識処理（ステップＳ１２０）と、個人端末装置向け選択要求処理（ステップＳ１３０）と、個人端末装置向け配信処理（ステップＳ１４０）と、を実施する。以下に、各処理について、詳細に説明する。
【００２７】  ステップＳ１１０の共用端末装置向け配信処理では、サーバ装置４のサーバ配信手段４２４は、図６に示すように、第１〜第３の共用端末装置３Ａ〜３Ｃのうちの少なくともいずれか１つから、共用端末画像共有ソフトウェア４１１のダウンロード要求があったか否かを判断する（ステップＳ１１１）。そして、ステップＳ１１１において、要求があった場合、要求元の共用端末装置３へ共用端末画像共有ソフトウェア４１１を配信（ステップＳ１１２）してから共用端末装置向け配信処理を終了する。一方、ステップＳ１１１において、要求がない場合、ステップＳ１１２の処理をせずに、共用端末装置向け配信処理を終了する。
【００２８】  ステップＳ１２０の画像共有可能端末認識処理では、サーバ装置４の共用端末登録手段４２１は、図７に示すように、共用端末装置３から、自身を画像共有実施可能な共用端末装置３として登録するために、共用端末情報３４１を登録する旨の通知を受信したか否かを判断する（ステップＳ１２１）。このステップＳ１２１において、受信したと判断した場合、サーバ記憶手段４１に、当該共用端末情報３４１を登録する（記憶させる）（ステップＳ１２２）。そして、共用端末登録手段４２１は、ステップＳ１２２の処理の後、または、ステップＳ１２１で登録通知を受信していないと判断した場合、共用端末装置３から、画像共有実施可能な共用端末装置３としての登録を解除するために、共用端末情報３４１の登録解除通知を受信したか否かを判断する（ステップＳ１２３）。この登録解除通知は、例えば、共用端末画像共有ソフトウェア４１１からの共用端末装置３の電源のオフ、あるいは、ユーザによる画像共有処理を終了する旨の設定入力などに起因して発行される。
【００２９】  そして、共用端末登録手段４２１は、ステップＳ１２３において、受信したと判断した場合、サーバ記憶手段４１から共用端末情報３４１を削除する（ステップＳ１２４）。次に、画像共有可能端末認識手段４２２は、ステップＳ１２４の処理の後、または、ステップＳ１２３で登録解除通知を受信していないと判断した場合、全ての登録済み共用端末装置３が稼働中か否かを判断する（ステップＳ１２５）。このステップＳ１２５の判断処理は、例えば、登録済みの共用端末装置３との通信セッションが維持されているか否かや、稼働確認要求応答による稼働確認結果に基づいて、実施される。  ステップＳ１２５において、登録済み共用端末装置３が稼働していないと判断した場合、共用端末登録手段４２１の機能より、当該共用端末装置３の共用端末情報３４１をサーバ記憶手段４１から削除して（ステップＳ１２６）、画像共有可能端末認識処理を終了する。一方、ステップＳ１２５において、全ての登録済み共用端末装置３が稼働中であると判断した場合、ステップＳ１２６の処理をせずに、画像共有可能端末認識処理を終了する。
【００３０】  ステップＳ１３０の個人端末装置向け選択要求処理では、サーバ装置４の選択要求手段４２３は、図８に示すように、個人端末装置５とのＷＥＢブラウザ経由での接続が確立しているか否かを判断し（ステップＳ１３１）、確立していないと判断した場合、個人端末装置向け選択要求処理を終了する。一方、ステップＳ１３１において、接続が確立されていると判断した場合、サーバ記憶手段４１に登録されている共用端末情報３４１に基づく接続先選択要求画像を生成して、個人端末装置５へ送信する（ステップＳ１３２）。  この後、選択要求手段４２３は、個人端末装置５から選択結果情報を受信したか否かを判断し（ステップＳ１３３）、受信していないと判断した場合、個人端末装置向け選択要求処理を終了する。また、ステップＳ１３３において、受信したと判断した場合、この選択結果情報に基づいて、該当する接続先共用端末装置３のダウンロード画像を個人端末装置５へ送信して、個人端末装置向け選択要求処理を終了する。
【００３１】  ステップＳ１４０の個人端末装置向け配信処理では、サーバ装置４のサーバ配信手段４２４は、図９に示すように、個人端末装置５でダウンロード画像が表示中か否かを判断し（ステップＳ１４１）、表示中でないと判断した場合、個人端末装置向け配信処理を終了する。一方、ステップＳ１４１において、表示中であると判断した場合、個人端末装置５からダウンロード要求を受信したか否かを判断し（ステップＳ１４２）、受信していないと判断した場合、個人端末装置向け配信処理を終了する。  また、サーバ配信手段４２４は、ステップＳ１４２において、受信したと判断した場合、個人端末画像共有ソフトウェア４１２と、共用端末情報３４１とを個人端末装置５へ配信して（ステップＳ１４３）、個人端末装置向け配信処理を終了する。
【００３２】    （共用端末装置の動作）  画像共有システム１の第１の共用端末装置３Ａは、図１０に示すように、設定入力に基づいてＷＥＢブラウザを起動する（ステップＳ１）。そして、サーバ装置４へ接続するための設定入力がされると、サーバ装置４への接続処理を実施して、接続を確立できたか否かを判断する（ステップＳ２）。なお、このユーザによるＷＥＢブラウザの起動、設定入力を、共用端末補助記憶手段３４に自動実行するバッチプログラムなどを登録することにより自動化しても良い。  このステップＳ２において、接続を確立できていないと判断すると、確立できない原因がネットワーク２の不良である旨を共用端末表示手段３２で表示（報知）して（ステップＳ３）、処理を終了する。  一方、ステップＳ２において、第１の共用端末装置３Ａは、接続を確立できたと判断すると、サーバ装置４から共用端末画像共有ソフトウェア４１１をダウンロードして（ステップＳ４）、ユーザの設定入力に基づいて、共用端末画像共有ソフトウェア４１１をインストールせずに実行する（ステップＳ５）。
【００３３】  この後、第１の共用端末装置３Ａは、自身を画像共有実施可能な共用端末装置３として登録するために、第１の共用端末情報３４１Ａをサーバ装置４へ送信して（ステップＳ６）、個人端末装置５から画像共有接続要求を受信したか否かを判断する（ステップＳ７）。  このステップＳ７において、画像共有接続要求を受信したと判断すると、個人端末装置５との間でサーバ装置４を介さずに画像共有処理を開始する（ステップＳ８）。そして、第１の共用端末装置３Ａは、ステップＳ７において画像共有接続要求を受信していないと判断すると、画像共有接続要求受信待ちを続ける旨の設定入力がされたか否かを判断する（ステップＳ９）。または、ステップＳ８において開始された画像共有処理が停止する、例えばユーザによる個人端末装置５からの停止処理、個人端末装置５の電源オフ、他の個人端末装置５からの新たな画像共有接続要求を受信することによる共用端末画像ソフトウェア４１１による停止によって画像共有接続要求受信待ちを続ける旨の設定入力がされたか否かを判断する。また図示されていないが、ステップＳ８からステップＳ９の遷移条件は、開始された画像共有処理の停止である。画像共有処理の停止としては、例えばユーザによる個人端末装置５からの停止処理、個人端末装置５の電源オフ、他の個人端末装置５からの新たな画像共有接続要求を受信することによる共用端末画像ソフトウェア４１１による停止が考えられる。  そして、ステップＳ９において、受信待ちを続けると判断すると、ステップＳ７の処理を再度実施する。  一方、ステップＳ９において、続けないと判断すると、画像共有待ち受け処理の中止をサーバ装置４へ通知して（登録解除通知をして）（ステップＳ１０）、サーバ装置４に登録されていた画像共有処理実施可能な共用端末装置３としての登録を解除して、処理を終了する。
【００３４】    （個人端末装置の動作）  画像共有システム１の個人端末装置５は、図１１に示すように、設定入力に基づいてＷＥＢブラウザを起動して（ステップＳ２１）、サーバ装置４への接続処理を実施すると、接続を確立できたか否かを判断する（ステップＳ２２）。このステップＳ２２において、接続を確立できていないと判断すると、確立できない原因がネットワーク２の不良である旨を個人端末表示手段５２で表示（報知）して（ステップＳ２３）、処理を終了する。  一方、ステップＳ２２において、個人端末装置５は、接続を確立できたと判断すると、この時点で画像共有処理可能な共用端末装置３を特定する接続先選択要求画像をサーバ装置４から受信して表示させる（ステップＳ２４）。この後、個人端末装置５は、所定の接続先共用端末装置３を選択する接続先選択操作を認識すると（ステップＳ２５）、選択結果情報をサーバ装置４へ送信する（ステップＳ２６）。
【００３５】  個人端末装置５は、選択結果情報に対応するダウンロード画像をサーバ装置４から受信して表示させ（ステップＳ２７）、このダウンロード画像に基づき個人端末画像共有ソフトウェア４１２をダウンローする旨の設定入力がされたか否かを判断する（ステップＳ２８）。  このステップＳ２８において、ダウンロードしないと判断した場合、処理を終了する。一方、ステップＳ２８において、個人端末装置５は、ダウンロードすると判断した場合、サーバ装置４にダウンロード要求をして、個人端末画像共有ソフトウェア４１２と、接続先共用端末装置３の共用端末情報３４１（接続先共用端末情報）とをダウンロードする（ステップＳ２９）。この後、ユーザの設定入力に基づいて、個人端末画像共有ソフトウェア４１２をインストールせずに実行して（ステップＳ３０）、図１２に示すように、画像共有処理を開始する設定入力がされたか否かを判断する（ステップＳ３１）。
【００３６】  そして、ステップＳ３１において、画像共有処理を開始しないと判断した場合、例えば、ユーザにより画像共有処理の終了操作がされたか否かや、接続先共用端末装置３の電源がオフされたか否かに基づいて、画像共有処理を終了するか否かを判断する(ステップＳ３２)。このステップＳ３２において、画像共有処理を終了すると判断した場合、処理を終了し、終了しないと判断した場合、ステップＳ３１の処理を再度実施する。  また、個人端末装置５は、ステップＳ３１において、画像共有処理を開始すると判断した場合、共用端末情報３４１で特定される接続先共用端末装置３との接続を確立して（ステップＳ３３）、サーバ装置４を介さずに画像を共有する画像共有処理を開始する（ステップＳ３４）。  この後、個人端末装置５は、ユーザによる画像共有処理の停止操作がされたか否か、接続先共用端末装置３の電源オフによる画像共有処理の停止要求がされたか否か、あるいは、接続先共用端末装置３が他の個人端末装置５との画像共有処理を開始したことによる画像共有処理の停止要求がされたか否か、に基づいて、画像共有処理を一時的に停止するか否かを判断する(ステップＳ３５)。そして、停止すると判断した場合、画像共有処理を停止して、ステップＳ３１の処理を再度実施する。一方、ステップＳ３５において、停止しないと判断した場合、ステップＳ３５の処理を例えば所定時間経過後に再度実施する。
【００３７】  ｛画像共有システムの作用効果｝  上述したように、第１実施形態では、以下のような作用効果を奏することができる。
【００３８】  （１）画像共有システム１の個人端末装置５は、画像共有処理の開始を認識するごとに配信要求情報をサーバ装置４へ送信して、画像共有処理を実施可能な接続先共用端末装置３の共用端末情報３４１と個人端末画像共有ソフトウェア４１２とをサーバ装置４からダウンロードする。そして、個人端末画像共有ソフトウェア４１２を実行して、共用端末情報３４１に対応する接続先共用端末装置３との間で、サーバ装置４を介さずに画像共有処理を実施する。  このため、画像の送受信にサーバ装置４を介さないため、画像を共有する接続先共用端末装置３の数が増えても、サーバ装置４にかかる負荷が増大することがなく、サーバ装置４のスペックを上げる必要もない。また、個人端末装置５により画像共有処理ごとに配信要求情報を送信して個人端末画像共有ソフトウェア４１２をダウンロードするため、配信要求情報の送信後に接続が確立できない問題が生じた場合には、その原因がネットワーク２にあり、個人端末画像共有ソフトウェア４１２のダウンロード後に問題が生じた場合には、その原因がダウンロード処理あるいは個人端末画像共有ソフトウェア４１２もしくはその設定であることを容易に特定できる。したがって、コストの増大を招くことなく接続不良時にも適切な対応をとることが可能な画像共有システム１を提供できる。
【００３９】  （２）個人端末装置５は、個人端末画像共有ソフトウェア４１２をインストールせずに実行している。  ここで、一般的にインストール行為には、端末装置（コンピュータ）の管理者（Ａｄｍｉｎｉｓｔｒａｔｏｒ）などの権限が必要であり、権限がないユーザ（以下、一般ユーザと称す）にはインストールする行為が禁じられている。このため、個人端末画像共有ソフトウェア４１２のインストールを前提の構成にすると、一般ユーザは、端末装置を使えず、画像共有システム１を利用できない。  これに対して、本実施形態では、個人端末画像共有ソフトウェア４１２をインストールせずに実行するため、一般ユーザにも画像共有システム１を利用させることができる。  さらに、共用端末装置３も共用端末画像共有ソフトウェア４１１をインストールせずに実行しているため、同様の効果を奏することができる。
【００４０】  （３）サーバ装置４は、画像共有システム１に登録されている共用端末装置３のうち、共有端末画像共有ソフトウェア４１１を実行中で画像共有処理を実施可能な共用端末装置３を認識し、この共用端末装置３の共用端末情報３４１を個人端末装置５へ配信している。  このため、個人端末装置５において画像共有処理を実施可能な共用端末装置３を確実に選択できる。
【００４１】  （４）個人端末装置５は、サーバ装置４からの接続先選択要求画像を表示させ、ユーザに接続先共用端末装置３を選択させている。そして、ユーザの設定入力に基づく選択結果情報をサーバ装置４へ送信し、サーバ装置４から接続先共用端末装置３の共用端末情報３４１を受信して、画像共有処理を実施している。  このため、画像共有処理を実施可能な共用端末装置３が複数ある場合に、個人端末装置５のユーザが所望する共用端末装置３との間で画像共有処理を実施できる。
【００４２】  （５）個人端末装置５は、個人端末画像共有ソフトウェア４１２のダウンロードの有無をユーザの設定入力に依存させている。  このため、個人端末画像共有ソフトウェア４１２のセキュリティ審査などの制限をなくすことができる。
【００４３】［第２実施形態］  次に、本発明に係る第２実施形態を図面に基づいて説明する。
【００４４】  ｛画像共有システムの構成｝  まず、画像共有システムの構成について説明する。  図１３は、第１〜第３の共用端末装置の概略構成を示すブロック図である。図１４は、個人端末装置の概略構成を示すブロック図である。
【００４５】  図１に示すように、画像共有システム１Ａは、ネットワーク２と、第１の端末装置としての第１，第２，第３の共用端末装置６Ａ，６Ｂ，６Ｃと、サーバ装置４と、第２の端末装置としての個人端末装置７と、を備えている。以下において、第１〜第３の共用端末装置６Ａ〜６Ｃのうちの任意のものについて説明する際には、共用端末装置６と表現する。
【００４６】  第１〜第３の共用端末装置６Ａ〜６Ｃは、図１３に示すように、共用端末入力手段３１と、共用端末表示手段３２と、共用端末主記憶手段３３と、共用端末補助記憶手段３４と、共用端末制御部６５と、を備えている。  第２実施形態の共用端末主記憶手段３３には、共用端末補助記憶手段３４に記憶された共用端末画像共有ソフトウェア４１１が展開される。  第１〜第３の共用端末装置６Ａ〜６Ｃの共用端末補助記憶手段３４には、第１〜第３の共用端末情報３４１Ａ〜３４１Ｃがそれぞれ記憶されている。また、共用端末補助記憶手段３４には、共用端末画像共有ソフトウェア４１１が記憶（格納）されている。この共用端末画像共有ソフトウェア４１１がインストールされると、第１〜第３の共用端末装置６Ａ〜６Ｃに対して、画像共有処理に必要な各種設定が行われる。
【００４７】  共用端末制御部６５は、各種プログラムで構成された、共用端末ダウンロード手段３５１と、第１の画像共有処理手段としての共用端末画像共有処理手段６５２と、を備えている。  共用端末画像共有処理手段６５２は、ユーザによる設定入力に基づき共用端末画像共有ソフトウェア４１１がインストールされて、このインストールされた共用端末画像共有ソフトウェア４１１が共用端末主記憶手段３３に展開されて実行されると、画像共有処理をする。そして、共用端末画像共有処理手段６５２は、上記第１実施形態の共用端末画像共有処理手段３５２と同様の処理を実施する。  また、共用端末画像共有処理手段６５２は、画像共有処理を終了すると、共用端末主記憶手段３３から共用端末画像共有ソフトウェア４１１を消去するが、共用端末補助記憶手段３４から共用端末画像共有ソフトウェア４１１を消去しない。このように、共用端末画像共有処理手段６５２では、共用端末画像共有ソフトウェア４１１をインストールしてから実行するため、共用端末画像共有ソフトウェア４１１を終了させた後に画像共有処理を再度実施する場合、新たに共用端末画像共有ソフトウェア４１１をサーバ装置４からダウンロードせずに、共用端末補助記憶手段３４の共用端末画像共有ソフトウェア４１１を実行する。  なお、共用端末ダウンロード手段３５１を設けない構成として、ＣＤ（Compact Disk）やＤＶＤ（Digital Versatile Disc）あるいはＵＳＢ（Universal Serial Bus）メモリなどの記録媒体から読み取った共用端末画像共有ソフトウェア４１１を共用端末補助記憶手段３４に記憶させても良い。
【００４８】  個人端末装置７は、図１４に示すように、個人端末入力手段５１と、個人端末表示手段５２と、個人端末主記憶手段５３と、個人端末補助記憶手段５４と、個人端末制御部７５と、を備えている。  第２実施形態の個人端末主記憶手段５３には、個人端末補助記憶手段５４に記憶された個人端末画像共有ソフトウェア４１２が展開される。  個人端末補助記憶手段５４には、個人端末情報５４１と、個人端末画像共有ソフトウェア４１２が記憶（格納）されている。この個人端末画像共有ソフトウェア４１２がインストールされると、個人端末装置７に対して、画像共有処理に必要な各種設定が行われる。
【００４９】  個人端末制御部７５は、各種プログラムで構成された、配信要求情報送信手段５５１と、選択結果情報送信手段５５２と、個人端末ダウンロード手段５５３と、第２の画像共有処理手段としての個人端末画像共有処理手段７５４と、を備えている。  個人端末画像共有処理手段７５４は、ユーザによる設定入力に基づき個人端末画像共有ソフトウェア４１２がインストールされて、このインストールされた個人端末画像共有ソフトウェア４１２が個人端末主記憶手段５３に展開されて実行されると、画像共有処理をする。そして、個人端末画像共有処理手段７５４は、上記第１実施形態の個人端末画像共有処理手段５５４と同様の処理を実施する。  また、個人端末画像共有処理手段７５４は、画像共有処理を終了すると、個人端末主記憶手段５３から個人端末画像共有ソフトウェア４１２を消去するが、個人端末補助記憶手段５４から個人端末画像共有ソフトウェア４１２を消去しない。このように、個人端末画像共有処理手段７５４では、個人端末画像共有ソフトウェア４１２をインストールしてから実行するため、個人端末画像共有ソフトウェア４１２を終了させた後に画像共有処理を再度実施する場合、新たに個人端末画像共有ソフトウェア４１２をサーバ装置４からダウンロードせずに、個人端末補助記憶手段５４の個人端末画像共有ソフトウェア４１２を実行する。
【００５０】  ｛画像共有システムの動作｝  次に、画像共有システム１Ａの動作について説明する。図１５は、第１の共用端末装置の動作を示すフローチャートである。第１実施形態の第１の共用端末装置の動作を示すフローチャートである図１０と同じ処理については同じ符号にて示す。図１６は、個人端末装置の動作を示すフローチャートである。第１実施形態の個人端末装置の動作を示すフローチャートである図１１，１２と同じ処理については同じ符号にて示す。
【００５１】    （共用端末装置の動作）  画像共有システム１Ａの第１の共用端末装置６Ａは、図１５に示すように、ステップＳ１〜Ｓ３の処理をする。また、第１の共用端末装置６Ａは、ステップＳ２において、接続を確立できたと判断すると、共用端末画像共有ソフトウェア４１１がインストールされているか否かを判断する（ステップＳ４１）。  このステップＳ４１において、インストールされていないと判断した場合、ステップＳ４の処理を実施して（サーバ装置４から共用端末画像共有ソフトウェア４１１をダウンロードして）、ユーザの設定入力に基づいて、共用端末画像共有ソフトウェア４１１をインストールして（共用端末補助記憶手段３４に格納して）実行する（ステップＳ４２）。この後、ステップＳ６〜Ｓ１０の処理をする。  一方、ステップＳ４１において、インストールされていると判断した場合、共用端末補助記憶手段３４から共用端末画像共有ソフトウェア４１１を読み出して実行し（ステップＳ４３）、ステップＳ６〜Ｓ１０の処理をする。
【００５２】    （個人端末装置の動作）  画像共有システム１Ａの個人端末装置７は、図１６に示すように、ステップＳ２１〜Ｓ２８の処理をする。また、個人端末装置７は、ステップＳ２８でダウンロード画像に基づき個人端末画像共有ソフトウェア４１２をダウンロードすると認識すると、個人端末画像共有ソフトウェア４１２がインストールされているか否かを判断する（ステップＳ５１）。  このステップＳ５１において、インストールされていないと判断した場合、ステップＳ２９の処理を実施して（サーバ装置４から個人端末画像共有ソフトウェア４１２と共用端末情報３４１をダウンロードして）、ユーザの設定入力に基づいて、個人端末画像共有ソフトウェア４１２をインストールして（個人端末補助記憶手段５４に格納して）実行する（ステップＳ５２）。この後、図１２に示すようなステップＳ３１〜Ｓ３５の処理をする。  一方、ステップＳ５１において、インストールされていると判断した場合、共用端末情報３４１のみをダウンロードして（ステップＳ５３）、個人端末補助記憶手段５４から個人端末画像共有ソフトウェア４１２を読み出して実行し（ステップＳ５４）、ステップＳ３１〜Ｓ３５の処理をする。
【００５３】  ｛画像共有システムの作用効果｝  上述したように、第２実施形態では、上記第１実施形態の（１），（３）〜（５）と同様の作用効果に加えて、以下のような作用効果を奏することができる。
【００５４】  （６）個人端末装置７は、個人端末画像共有ソフトウェア４１２をインストールしてから実行している。  このため、画像共有システム１Ａを利用するごとに、個人端末画像共有ソフトウェア４１２をダウンロードしてインストールする必要がないため、ダウンロードと個人端末画像共有ソフトウェア４１２の設定とをそれぞれ１回で済ませることができ、画像共有処理開始までの時間を短縮できる。また、共用端末装置３についても、共用端末画像共有ソフトウェア４１１をインストールしてから実行しているため、同様の作用効果を奏することができる。
【００５５】［第３実施形態］  次に、本発明に係る第３実施形態を図面に基づいて説明する。  図１７は、第３実施形態に係る画像共有システムの概略構成を示すブロック図である。図１８は、第１の共用端末装置の概略構成を示すブロック図である。  図１７に示すように、画像共有システム１Ｂは、ネットワーク２と、第１の端末装置としての第１，第２，第３の共用端末装置１００，３Ｂ，３Ｃと、第２の端末装置としての２個の個人端末装置５と、を備えている。  なお、第２，第３の共用端末装置３Ｂ，３Ｃは、図２に示す第１実施形態のものと同一である。
【００５６】  第１の共用端末装置１００は、コンピュータであり、第１実施形態の第１の共用端末装置３Ａと同様の構成に加えて、第１実施形態のサーバ装置４と同様の機能を備えている。具体的には、第１の共用端末装置１００は、図１８に示すように、共用端末入力手段３１と、共用端末表示手段３２と、共用端末主記憶手段３３と、共用端末補助記憶手段３４と、共用端末制御部１１０と、を備えている。  共用端末主記憶手段３３には、共用端末画像共有ソフトウェア４１１が展開される。共用端末補助記憶手段３４には、第１〜第３の共用端末情報３４１Ａ〜３４１Ｃと、共用端末画像共有ソフトウェア４１１と、個人端末画像共有ソフトウェア４１２と、が記憶されている。  共用端末制御部１１０は、各種プログラムで構成された、共用端末ダウンロード手段３５１と、共用端末画像共有処理手段３５２と、共用端末登録手段４２１と、画像共有可能端末認識手段４２２と、選択要求手段４２３と、第１の端末配信手段としての共用端末配信手段１１１と、を備えている。  共用端末配信手段１１１は、第１実施形態のサーバ配信手段４２４と同様の処理、具体的には、図６に示すような第２，第３の共用端末装置３Ｂ，３Ｃへの共用端末装置向け配信処理、図９に示すような個人端末装置向け配信処理を実施する。
【００５７】  そして、個人端末装置５は、第２の共用端末装置３Ｂとの間で画像共有処理を実施する場合、第１の共用端末装置１００から個人端末画像共有ソフトウェア４１２と、第２の共用端末情報３４１Ｂとをダウンロードする。そして、個人端末画像共有ソフトウェア４１２の実行により、第１の共用端末装置１００を介さずに、個人端末装置５で表示中の画像を第２の共用端末装置３Ｂで表示させる画像共有処理を実施する。また、個人端末装置５は、第１の共用端末装置１００との間で画像共有処理を実施する場合、個人端末画像共有ソフトウェア４１２と、第１の共用端末情報３４１Ａとをダウンロードして、第１の共用端末装置１００との間で画像共有処理を実施する。
【００５８】  ｛画像共有システムの作用効果｝  上述したように、第３実施形態では、以下のような作用効果を奏することができる。
【００５９】  （７）第１の共用端末装置１００が接続先共用端末装置３でない場合には、第１の共用端末装置１００を介さずに画像の送受信が行われるため、画像を共有する接続先共用端末装置３の数が増えても、第１の共用端末装置１００にかかる負荷が増大することがなく、第１の共用端末装置１００のスペックを上げる必要もない。また、個人端末装置５により画像共有処理ごとに配信要求情報を送信して個人端末画像共有ソフトウェア４１２をダウンロードするため、上記第１実施形態と同様に、配信要求情報の送信後に接続が確立できない問題が生じた場合や、個人端末画像共有ソフトウェア４１２のダウンロード後に問題が生じた場合に、その原因を容易に特定できる。したがって、コストの増大を招くことなく接続不良時にも適切な対応をとることが可能な画像共有システムを提供できる。
【００６０】［実施形態の変形］  なお、本発明は、上述した実施形態に限定されるものではなく、本発明の目的を達成できる範囲で以下に示される変形をも含むものである。
【００６１】  すなわち、第１実施形態のサーバ装置４の代わりに、図１９に示すようなサーバ装置８を適用して、図２０に示すような処理を実施する構成としても良い。  具体的には、サーバ装置８は、サーバ装置４のサーバ制御部４２に特定情報変換手段としての端末情報変換手段８２５をさらに設けるとともに選択要求手段４２３の代わりに選択要求手段８２３を備えたサーバ制御部８２を備えている。また、サーバ記憶手段４１には、変換規則情報４１３が記憶されている。この変換規則情報４１３には、共用端末情報３４１のＩＰアドレスを表す数字を１６進数に変換する旨が記録されている。  なお、変換規則情報４１３としては、共用端末情報３４１の数字を、２進数や８進数あるいはアルファベットなどの所定の規則に基づき変換した１０進数以外の数字や文字で表す旨、さらにはハッシュ関数などで暗号化した旨を記録したものであっても良い。また、第１〜第３の共用端末装置３Ａ〜３Ｃごとに、異なる条件で変換するようにしても良い。  端末情報変換手段８２５は、個人端末装置５から選択結果情報を受信すると、接続先共用端末装置３に対応するＩＰアドレスを変換規則情報４１３に基づいて１６進数に変換する。例えば、第１の共用端末装置３Ａを接続先共用端末装置３として選択する旨を認識すると、第１の共用端末情報３４１ＡのＩＰアドレスである「１７２．２４．１１．１５７」を「ＡＣ１８０Ｂ９Ｄ」に変換する。なお、以下において、１６進数に変換されたＩＰアドレスを、変換後アドレスと称して説明する。  選択要求手段８２３は、端末情報変換手段８２５の処理で得られる変換後アドレスをブラウザのタイトル部分に表示させるためのダウンロード画像を、個人端末装置５へ送信する。
【００６２】  そして、図２０に示すように、サーバ装置８は、ステップＳ２６の処理による選択結果情報を個人端末装置５から受信すると、この選択結果情報に基づき接続先共用端末装置３のＩＰアドレスを変換後アドレスに変換する。そして、この変換後アドレスをブラウザのタイトル部分に表示させるダウンロード画像を生成して、個人端末装置５へ配信する。  個人端末装置５は、ステップＳ２７で変換後アドレスを含むダウンロード画像を表示させ、ステップＳ２８でダウンロードすると判断すると、サーバ装置８にダウンロード要求をする。  サーバ装置８は、ダウンロード要求を受信すると、変換規則情報４１３と、個人端末画像共有ソフトウェア４１２とを個人端末装置５へ配信する。このとき、個人端末画像共有ソフトウェア４１２と変換規則情報４１３は接続先共用端末装置３に応じて変化しないため、個人端末画像共有ソフトウェア４１２と変換規則情報４１３を一体化して送信する。
【００６３】  個人端末装置５は、サーバ装置８から個人端末画像共有ソフトウェア４１２と、変換規則情報４１３と、をダウンロードすると（ステップＳ６１）、ステップＳ３０の処理、つまり個人端末画像共有ソフトウェア４１２をインストールせずに実行する処理をする。  この後、個人端末装置５の個人端末画像共有処理手段５５４は、ダウンロード画像の所定位置に表示されている接続先共用端末装置３の変換後アドレス（接続先共用端末変換アドレス）を読み取る（ステップＳ６２）。そして、個人端末ダウンロード手段５５３は、変換規則情報４１３に基づき、接続先共用端末変換アドレスを１０進数に戻して、変換される前の接続先共用端末情報を認識する（ステップＳ６３）。そして、個人端末画像共有処理手段５５４は、接続先共用端末情報で特定される接続先共用端末装置３との間で画像共有処理、すなわち図１２に示すようなステップＳ３１〜Ｓ３５の処理をする。
【００６４】  この図１９，２０に示す構成によれば、個人端末装置５に、ダウンロード画像上で接続先共用端末装置３のＩＰアドレスを１０進数で表示させるのでなく、１６進数に変換した変換後アドレスが表示されている。  このため、変換後アドレスはダウンロード画像上に表示されるため、変換後アドレスを見ても接続先共用端末装置３を特定することが困難になり、セキュリティ性を高めることができる。また、接続先共用端末装置３に応じて変化しない個人端末画像共有ソフトウェア４１２と変換規則情報４１３のダウンロード処理シーケンスと、接続先共用端末装置３に応じて変化する変換後アドレスのダウンロード処理シーケンスと、を統一化させないので、処理の複雑化を招くこともない。  なお、第２，第３実施形態の構成に同様の変形例を適用しても良い。
【００６５】  また、サーバ装置４から、画像共有システム１に登録されている共用端末装置３が共用端末画像共有ソフトウェア４１１を実行中か否かにかかわらず、全ての共用端末装置３の共用端末情報３４１を個人端末装置５へ配信して、個人端末装置５で接続先共用端末装置３を選択させても良い。
【００６６】  そして、本発明の第１の端末装置としては、特定のユーザの机に設置されたあるいは当該ユーザが所有する端末装置であっても良いし、第２の端末装置としては、不特定のユーザが利用可能に例えば会議室などに設置された端末装置であっても良い。さらに、共用端末装置３に本発明の第２の端末装置の機能を持たせて、個人端末装置５で表示された画像を共用端末装置３で表示させ、共用端末装置３で表示された画像を個人端末装置５で表示させても良い。  また、本発明の第１の端末情報としては、ＩＰアドレスとポートの両方を特定する情報であっても良い。  さらに、個人端末装置５において接続先選択要求画像を表示させる構成を例示したが、接続先選択要求画像と同様の内容を音声で報知してユーザに選択させても良い。  そして、上記実施形態では、共用端末画像共有ソフトウェア４１１や個人端末画像共有ソフトウェア４１２を専用のアプリケーションであることを想定しているが、ＷＥＢブラウザ上で各ソフトウェア４１１，４１２を起動する構成としても良い。  さらには、第１実施形態の共用端末画像共有ソフトウェア４１１をインストールせずに実行する共用端末装置３と、第２実施形態の個人端末画像共有ソフトウェア４１２をインストールして実行する個人端末装置７とを備えた画像共有システムとしても良いし、第２実施形態の共用端末画像共有ソフトウェア４１１をインストールして実行する共用端末装置６と、第１実施形態の個人端末画像共有ソフトウェア４１２をインストールせずに実行する個人端末装置５とを備えた画像共有システムとしても良い。
【００６７】  また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【００６８】  その他、本発明の実施の際の具体的な構造および手順は、本発明の目的を達成できる範囲で他の構造などに適宜変更できる。
【００６９】［実施形態の効果］  上述したように、上記実施形態では、画像共有システム１の個人端末装置５は、画像共有処理の開始を認識するごとに配信要求情報をサーバ装置４へ送信して、共用端末情報３４１と個人端末画像共有ソフトウェア４１２とをサーバ装置４からダウンロードする。そして、個人端末画像共有ソフトウェア４１２をインストールせずに実行して、共用端末情報３４１に対応する接続先共用端末装置３との間で、サーバ装置４を介さずに画像共有処理を実施する。  このため、画像の送受信にサーバ装置４を介さないため、画像を共有する接続先共用端末装置３の数が増えても、サーバ装置４にかかる負荷が増大することがなく、サーバ装置４のスペックを上げる必要もない。また、個人端末装置５により画像共有処理ごとに配信要求情報を送信して個人端末画像共有ソフトウェア４１２をダウンロードするため、配信要求情報の送信後に接続が確立できない問題が生じた場合には、その原因がネットワーク２、もしくは自分の個人端末装置５のネットワーク接続設定にあり、個人端末画像共有ソフトウェア４１２のダウンロード後に問題が生じた場合には、その原因がダウンロード処理あるいは個人端末画像共有ソフトウェア４１２もしくはその設定であることを容易に特定できる。したがって、コストの増大を招くことなく接続不良時にも適切な対応をとることが可能な画像共有システム１を提供できる。
【産業上の利用可能性】
【００７０】  本発明は、画像共有システム、サーバ装置、画像共有方法、画像共有制御方法、および、画像共有制御方法を記録した記録媒体として利用できる。
【符号の説明】
【００７１】      １，１Ａ，１Ｂ…画像共有システム      ２…ネットワーク      ３Ａ，３Ｂ，３Ｃ，６Ａ，６Ｂ，６Ｃ，１００…第１の端末装置としての第１，第２，第３の共用端末装置      ４，８…サーバ装置      ５，７…第２の端末装置としての個人端末装置    ３２…第１の端末表示手段としての共用端末表示手段    ３４…第１の端末記憶手段としても機能する共用端末補助記憶手段    ４１…サーバ記憶手段    ５１…端末入力手段としての個人端末入力手段    ５２…第２の端末表示手段および報知手段としての個人端末表示手段  ３４１Ａ，３４１Ｂ，３４１Ｃ…第１の端末情報としての第１，第２，第３の共用端末情報  １１１…第１の端末配信手段としての共用端末配信手段  ３５２，６５２…第１の画像共有処理手段としての共用端末画像共有処理手段  ４１１…第１の画像共有ソフトウェアとしての共用端末画像共有ソフトウェア  ４１２…第２の画像共有ソフトウェアとしての個人端末画像共有ソフトウェア  ４１３…変換規則情報  ４２２…画像共有可能端末認識手段  ４２３，８２３…選択要求手段  ４２４…サーバ配信手段  ５５１…配信要求情報送信手段  ５５２…選択結果情報送信手段  ５５３…データ取得手段としての個人端末ダウンロード手段  ５５４，７５４…第２の画像共有処理手段としての個人端末画像共有処理手段  ８２５…特定情報変換手段としての端末情報変換手段
【図１】
2010119522.tif 000003
【図２】
2010119522.tif 000004
【図３】
2010119522.tif 000005
【図４】
2010119522.tif 000006
【図５】
2010119522.tif 000007
【図６】
2010119522.tif 000008
【図７】
2010119522.tif 000009
【図８】
2010119522.tif 000010
【図９】
2010119522.tif 000011
【図１０】
2010119522.tif 000012
【図１１】
2010119522.tif 000013
【図１２】
2010119522.tif 000014
【図１３】
2010119522.tif 000015
【図１４】
2010119522.tif 000016
【図１５】
2010119522.tif 000017
【図１６】
2010119522.tif 000018
【図１７】
2010119522.tif 000019
【図１８】
2010119522.tif 000020
【図１９】
2010119522.tif 000021
【図２０】
2010119522.tif 000022
【手続補正書】
【提出日】平成23年10月13日(2011.10.13)
【手続補正１】
【補正対象書類名】明細書
【補正対象項目名】全文
【補正方法】変更
【補正の内容】
【発明の詳細な説明】
【技術分野】
【０００１】
本発明は、画像共有システム、サーバ装置、画像共有方法、画像共有制御方法、および、画像共有制御方法を記録した記録媒体に関する。
【背景技術】
【０００２】
従来、複数の端末装置間で画像を共有する構成が知られている（例えば、特許文献１参照）。
この特許文献１では、ユーザの端末装置（以下、ユーザ端末装置と称す）と、サポートセンタの端末装置（以下、サポート端末装置と称す）とがサーバにログインして、サーバを介して互いに接続する。サーバは、サポート端末装置からアップロードされた画像データに基づいて、表示データを生成する。そして、この表示データは、ユーザ端末装置へ送信されて表示されることで、サポート端末装置とユーザ端末装置で画像を共有している。
【先行技術文献】
【特許文献】
【０００３】
【特許文献１】特開２００３−１０８５０４号公報
【発明の概要】
【発明が解決しようとする課題】
【０００４】
しかしながら、特許文献１のような構成では、サーバを介して画像を送受信しているため、画像を共有する端末装置が多くなるとサーバに負荷がかかってしまうおそれがある。このような負荷を低減させるためには、サーバのスペックを上げることが考えられるが、スペックを上げると、コストが増大してしまうという問題点がある。
また、ネットワーク経由で画像共有を実施する場合、接続不良の原因がネットワーク、もしくは自分の端末装置のネットワーク接続設定にあるのか画像共有ソフトウェア、画像共有ソフトウェアの設定にあるのかの判別がつかず、適切な対応を迅速にとれないという問題点がある。
【０００５】
本発明の目的は、コストの増大を招くことなく接続不良時にも適切な対応をとることが可能な画像共有システム、サーバ装置、画像共有方法、画像共有制御方法、および、画像共有制御方法を記録した記録媒体を提供することである。
【課題を解決するための手段】
【０００６】
本発明の画像共有システムは、所定の画像を表示可能な第１の端末表示手段を有する第１の端末装置と、所定の画像を表示可能な第２の端末表示手段を有し、前記第１の端末装置にネットワークを介して接続可能な第２の端末装置と、前記第１の端末装置および前記第２の端末装置に前記ネットワークを介して接続可能なサーバ装置と、を具備し、前記第２の端末装置で表示された画像を前記第１の端末装置でも同時に表示させる画像共有処理を実施する画像共有システムであって、前記サーバ装置は、前記第１の端末装置を特定する第１の端末情報および前記第２の端末装置で前記画像共有処理を実施するための第２の画像共有ソフトウェアを記憶するサーバ記憶手段と、前記第２の端末装置から送信される配信要求情報に基づいて、前記第１の端末情報および前記第２の画像共有ソフトウェアを前記第２の端末装置へ配信するサーバ配信手段と、を備え、前記第１の端末装置は、前記画像共有処理を実施するための第１の画像共有ソフトウェアを取得して、この第１の画像共有ソフトウェアに基づいて前記第２の端末装置との間で前記画像共有処理を実施する第１の画像共有処理手段を備え、前記第２の端末装置は、前記画像共有処理の開始を認識するごとに、前記配信要求情報を前記サーバ装置へ送信する配信要求情報送信手段と、前記配信要求情報に対応する前記第１の端末情報および前記第２の画像共有ソフトウェアを取得するデータ取得手段と、このデータ取得手段で前記第２の画像共有ソフトウェアが取得されると、前記第２の画像共有ソフトウェアを実行して、前記第１の端末情報で特定される第１の端末装置との間で前記サーバ装置を介さずに前記画像共有処理を実施する第２の画像共有処理手段と、を備え、前記第１の端末装置は、前記第１の画像共有ソフトウェアを取得する際に、ＷＥＢブラウザを起動して、前記サーバ装置への接続処理を実施して、前記サーバ装置との接続を確立できたか否かを判断し、前記サーバ装置との接続を確立できていないと判断すると、前記サーバ装置との接続を確立できない原因が前記ネットワークの不良である旨を前記第１の端末表示手段で表示し、前記サーバ装置との接続を確立できたと判断すると、前記サーバ装置から前記第１の画像共有ソフトウェアを取得し、前記第２の端末装置は、前記第２の画像共有ソフトウェアを取得する際に、ＷＥＢブラウザを起動して、前記サーバ装置への接続処理を実施して、前記サーバ装置との接続を確立できたか否かを判断し、前記サーバ装置との接続を確立できていないと判断すると、前記サーバ装置との接続を確立できない原因が前記ネットワークの不良である旨を前記第２の端末表示手段で表示し、前記サーバ装置との接続を確立できたと判断すると、前記サーバ装置から前記第２の画像共有ソフトウェアを取得することを特徴とする。
【０００７】
本発明の画像共有システムは、所定の画像を表示可能な第１の端末表示手段を有する第１の端末装置と、所定の画像を表示可能な第２の端末表示手段を有し、前記第１の端末装置にネットワークを介して接続可能な第２の端末装置と、を具備し、前記第２の端末装置で表示された画像を前記第１の端末装置でも同時に表示させる画像共有処理を実施する画像共有システムであって、前記第１の端末装置は、前記第２の端末装置で前記画像共有処理を実施するための第２の画像共有ソフトウェアを記憶する第１の端末記憶手段と、前記第２の端末装置から送信される配信要求情報に基づいて、前記第２の画像共有ソフトウェアを前記第２の端末装置へ配信する第１の端末配信手段と、前記画像共有処理を実施するための第１の画像共有ソフトウェアを取得して、この第１の画像共有ソフトウェアに基づいて前記第２の端末装置との間で前記画像共有処理を実施する第１の画像共有処理手段と、を備え、前記第２の端末装置は、前記画像共有処理の開始を認識するごとに、前記配信要求情報を前記第１の端末装置へ送信する配信要求情報送信手段と、前記配信要求情報に対応する前記第２の画像共有ソフトウェアを取得するデータ取得手段と、このデータ取得手段で前記第２の画像共有ソフトウェアが取得されると、前記第２の画像共有ソフトウェアを実行して、前記第１の端末装置との間で前記画像共有処理を実施する第２の画像共有処理手段と、を備え、前記第２の端末装置は、前記第２の画像共有ソフトウェアを取得する際に、ＷＥＢブラウザを起動して、前記第１の端末装置への接続処理を実施して、前記第１の端末装置との接続を確立できたか否かを判断し、前記第１の端末装置との接続を確立できていないと判断すると、前記第１の端末装置との接続を確立できない原因が前記ネットワークの不良である旨を前記第２の端末表示手段で表示し、前記第１の端末装置との接続を確立できたと判断すると、前記第１の端末装置から前記第２の画像共有ソフトウェアを取得することを特徴とする。
【０００８】
本発明のサーバ装置は、所定の画像を表示可能な第１の端末表示手段を有する少なくとも１つの第１の端末装置と、所定の画像を表示可能な第２の端末表示手段を有し、前記第１の端末装置にネットワークを介して接続可能な第２の端末装置と、に前記ネットワークを介して接続可能であり、前記第２の端末装置で表示された画像を前記第１の端末装置でも同時に表示させる画像共有処理を制御するサーバ装置であって、前記第１の端末装置を特定する第１の端末情報および前記第２の端末装置で前記画像共有処理を実施するための第２の画像共有ソフトウェアを記憶するサーバ記憶手段と、前記サーバ記憶手段に前記第１の端末情報が記憶されている前記第１の端末装置のうち、前記画像共有処理を実施するための第１の画像共有ソフトウェアを実行中であり前記第２の端末装置との間で前記画像共有処理を実施可能な前記第１の端末装置を認識する画像共有可能端末認識手段と、前記第２の端末装置から送信される配信要求情報に基づいて、前記画像共有処理を実施可能と前記画像共有可能端末認識手段で認識されている前記第１の端末装置の前記第１の端末情報および前記第２の画像共有ソフトウェアを前記第２の端末装置へ配信し、この配信に応答して前記第２の端末装置で前記第２の画像共有ソフトウェアを実行させて、前記第１の端末情報で特定される第１の端末装置との間で前記サーバ装置を介さずに前記画像共有処理を実施させるサーバ配信手段と、を備えていることを特徴とする。
【０００９】
本発明の画像共有方法は、所定の画像を表示可能な第１の端末表示手段を有する第１の端末装置と、所定の画像を表示可能な第２の端末表示手段を有し、前記第１の端末装置にネットワークを介して接続可能な第２の端末装置と、前記第１の端末装置および前記第２の端末装置に前記ネットワークを介して接続可能なサーバ装置と、を用い、前記第２の端末装置で表示された画像を前記第１の端末装置でも同時に表示させる画像共有処理を実施する画像共有方法であって、前記サーバ装置に、前記第１の端末装置を特定する第１の端末情報および前記第２の端末装置で前記画像共有処理を実施するための第２の画像共有ソフトウェアを記憶するサーバ記憶手段を設け、前記第１の端末装置で前記画像共有処理を実施するための第１の画像共有ソフトウェアを取得する際に、ＷＥＢブラウザを起動して、前記サーバ装置への接続処理を実施して、前記サーバ装置との接続を確立できたか否かを判断し、前記サーバ装置との接続を確立できていないと判断すると、前記サーバ装置との接続を確立できない原因が前記ネットワークの不良である旨を前記第１の端末表示手段で表示し、前記サーバ装置との接続を確立できたと判断すると、前記サーバ装置から前記第１の端末装置へ前記第１の画像共有ソフトウェアを配信する工程と、前記第２の端末装置で前記画像共有処理の開始を認識するごとに、ＷＥＢブラウザを起動して、前記サーバ装置への接続処理を実施して、前記サーバ装置との接続を確立できたか否かを判断し、前記サーバ装置との接続を確立できていないと判断すると、前記サーバ装置との接続を確立できない原因が前記ネットワークの不良である旨を前記第２の端末表示手段で表示し、前記サーバ装置との接続を確立できたと判断すると、前記第２の端末装置から前記サーバ装置へ配信要求情報を送信する工程と、前記配信要求情報に基づいて、前記サーバ装置から前記第２の端末装置へ前記第１の端末情報および前記第２の画像共有ソフトウェアを配信する工程と、前記第２の端末装置で前記第２の画像共有ソフトウェアが取得されると、前記第２の画像共有ソフトウェアを実行して、前記第２の端末装置と前記第１の端末情報で特定され、前記第１の画像共有ソフトウェアに基づき画像共有処理を実施可能な第１の端末装置との間で前記サーバ装置を介さずに前記画像共有処理を実施する工程と、を実施することを特徴とする。
【００１０】
本発明の画像共有方法は、所定の画像を表示可能な第１の端末表示手段を有する第１の端末装置と、所定の画像を表示可能な第２の端末表示手段を有し、前記第１の端末装置にネットワークを介して接続可能な第２の端末装置と、を用い、前記第２の端末装置で表示された画像を前記第１の端末装置でも同時に表示させる画像共有処理を実施する画像共有方法であって、前記第１の端末装置に、前記第２の端末装置で前記画像共有処理を実施するための第２の画像共有ソフトウェアを記憶する第１の端末記憶手段を設け、前記第２の端末装置で前記画像共有処理の開始を認識するごとに、ＷＥＢブラウザを起動して、前記第１の端末装置への接続処理を実施して、前記第１の端末装置との接続を確立できたか否かを判断し、前記第１の端末装置との接続を確立できていないと判断すると、前記第１の端末装置との接続を確立できない原因が前記ネットワークの不良である旨を前記第２の端末表示手段で表示し、前記第１の端末装置との接続を確立できたと判断すると、前記第２の端末装置から前記第１の端末装置へ配信要求情報を送信する工程と、前記配信要求情報に基づいて、前記第１の端末装置から前記第２の画像共有ソフトウェアを前記第２の端末装置へ配信する工程と、前記第２の端末装置で前記第２の画像共有ソフトウェアが取得されると、前記第２の画像共有ソフトウェアを実行して、前記第２の端末装置と第１の画像共有ソフトウェアに基づき画像共有処理を実施可能な前記第１の端末装置との間で前記画像共有処理を実施する工程と、を実施することを特徴とする。
【００１１】
本発明の画像共有制御プログラムは、コンピュータを上述のサーバ装置として機能させることを特徴とする。
【００１２】
本発明の画像共有制御プログラムを記録した記録媒体は、上述の画像共有制御プログラムがコンピュータで読取可能に記録されたことを特徴とする。
【図面の簡単な説明】
【００１３】
【図１】本発明の第１，第２実施形態に係る画像共有システムの概略構成を示すブロック図である。
【図２】前記第１実施形態における第１〜第３の共用端末装置の概略構成を示すブロック図である。
【図３】前記第１，第２実施形態におけるサーバ装置の概略構成を示すブロック図である。
【図４】前記第１実施形態における個人端末装置の概略構成を示すブロック図である。
【図５】前記第１実施形態におけるサーバ装置の全体動作を示すフローチャートである。
【図６】前記第１実施形態におけるサーバ装置の共用端末装置向け配信処理を示すフローチャートである。
【図７】前記第１実施形態におけるサーバ装置の画像共有可能端末認識処理を示すフローチャートである。
【図８】前記第１実施形態におけるサーバ装置の個人端末装置向け選択要求処理を示すフローチャートである。
【図９】前記第１実施形態におけるサーバ装置の個人端末装置向け配信処理を示すフローチャートである。
【図１０】前記第１実施形態における第１の共用端末装置の動作を示すフローチャートである。
【図１１】前記第１実施形態における個人端末装置の動作を示すフローチャートである。
【図１２】前記第１，第２実施形態および本発明の変形例に係る個人端末装置の動作を示すフローチャートである。
【図１３】前記第２実施形態における第１〜第３の共用端末装置の概略構成を示すブロック図である。
【図１４】前記第２実施形態における個人端末装置の概略構成を示すブロック図である。
【図１５】前記第２実施形態における第１の共用端末装置の動作を示すフローチャートである。
【図１６】前記第２実施形態における個人端末装置の動作を示すフローチャートである。
【図１７】本発明の第３実施形態に係る画像共有システムの概略構成を示すブロック図である。
【図１８】前記第３実施形態における第１の共用端末装置の概略構成を示すブロック図である。
【図１９】前記変形例におけるサーバ装置の概略構成を示すブロック図である。
【図２０】前記変形例における個人端末装置の動作を示すフローチャートである。
【発明を実施するための形態】
【００１４】
［第１実施形態］
以下、本発明に係る第１実施形態を図面に基づいて説明する。
この第１実施形態および後述する第２，第３実施形態では、１つの端末装置で表示中の画像を他の端末装置で同時に表示させる画像共有処理を実施する画像共有システムを例示して説明する。また、第１，第３実施形態では、画像共有処理を実施するためのソフトウェアをインストールせずに実行する構成を例示し、第２実施形態では、画像共有処理を実施するためのソフトウェアをインストールしてから実行する構成を例示する。さらに、第３実施形態は、第１実施形態の変形例であり、１０進数で表された前記他の端末装置のＩＰアドレスを１６進数に変換して、前記１つの端末装置で表示させる構成を例示して説明する。なお、画像共有処理における「同時」とは、厳密な意味での同一のタイミングに加えて、若干のタイミングのずれも含む概念である。
【００１５】
｛画像共有システムの構成｝
まず、画像共有システムの構成について説明する。
図１は、第１，第２実施形態に係る画像共有システムの概略構成を示すブロック図である。図２は、第１〜第３の共用端末装置の概略構成を示すブロック図である。図３は、サーバ装置の概略構成を示すブロック図である。図４は、個人端末装置の概略構成を示すブロック図である。
【００１６】
図１に示すように、画像共有システム１は、ネットワーク２と、第１の端末装置としての第１，第２，第３の共用端末装置３Ａ，３Ｂ，３Ｃと、サーバ装置４と、第２の端末装置としての２個の個人端末装置５と、を備えている。以下において、第１〜第３の共用端末装置３Ａ〜３Ｃのうちの任意のものについて説明する際には、共用端末装置３と表現する。なお、共用端末装置３や個人端末装置５の数としては、上述した個数に限られない。
ネットワーク２は、第１〜第３の共用端末装置３Ａ〜３Ｃと、サーバ装置４と、個人端末装置５とを、各種情報を送受信可能に接続する。
【００１７】
第１〜第３の共用端末装置３Ａ〜３Ｃは、不特定のユーザが利用可能に例えば会議室などに設置されたデスクトップあるいはラップトップ型のコンピュータであり、図２に示すように、図示しない操作ボタンなどを有する共用端末入力手段３１と、個人端末装置５と共有する図示しない画像を表示可能な第１の端末表示手段としての共用端末表示手段３２と、例えばメモリである共用端末主記憶手段３３と、例えばハードディスクである共用端末補助記憶手段３４と、共用端末制御部３５と、を備えている。ここで、共用端末表示手段３２としては、共用端末入力手段３１、共用端末主記憶手段３３、共用端末補助記憶手段３４および共用端末制御部３５と一体型のものであっても良いし、別体型のものであっても良い。また、共用端末表示手段３２としては、液晶パネルやＰＤＰ（Plasma Display Panel）あるいは液晶プロジェクタなどであっても良い。
共用端末主記憶手段３３には、サーバ装置４からダウンロードされた第１の画像共有ソフトウェアとしての共用端末画像共有ソフトウェア４１１が展開される。
第１の共用端末装置３Ａの共用端末補助記憶手段３４には、第１の共用端末装置３Ａに関する第１の端末情報としての第１の共用端末情報３４１Ａが、第２の共用端末装置３Ｂの共用端末補助記憶手段３４には、第２の共用端末装置３Ｂに関する第１の端末情報としての第２の共用端末情報３４１Ｂが、第３の共用端末装置３Ｃの共用端末補助記憶手段３４には、第３の共用端末装置３Ｃに関する第１の端末情報としての第３の共用端末情報３４１Ｃが、それぞれ記憶されている。第１〜第３の共用端末情報３４１Ａ〜３４１Ｃは、少なくとも第１〜第３の共用端末装置３Ａ〜３Ｃを特定可能な情報を備えており、画像共有品質を制御するための品質情報などをさらに備えていても良い。第１，第２，第３の共用端末装置３Ａ，３Ｂ，３Ｃを特定可能な情報は、第１，第２，第３の共用端末装置３Ａ，３Ｂ，３ＣのＩＰアドレスであり１０進数の「１７２．２４．１１．１５７」（図１参照）、「１７２．２４．１１．１５８」（図１参照）、「１７２．２４．１１．１５９」（図１参照）を表すものである。
なお、本発明の第１の端末情報に含まれる端末装置を特定可能な情報としては、ＩＰアドレスにポートやシリアルナンバを組み合わせたものを用いても良い。また、第１〜第３の共用端末情報３４１Ａ〜３４１Ｃのうちの任意のものについて説明する際には、共用端末情報３４１と表現する。
【００１８】
共用端末制御部３５は、各種プログラムで構成された、共用端末ダウンロード手段３５１と、第１の画像共有処理手段としての共用端末画像共有処理手段３５２と、を備えている。
共用端末ダウンロード手段３５１は、ユーザによる設定入力に基づきサーバ装置４から共用端末画像共有ソフトウェア４１１をダウンロードする。
共用端末画像共有処理手段３５２は、ユーザにより共用端末画像共有ソフトウェア４１１を実行する旨の設定入力がされたときに、共用端末主記憶手段３３に記憶された共用端末画像共有ソフトウェア４１１がインストールされずに、共用端末主記憶手段３３に展開されて実行されると、画像共有処理をする。そして、例えば、第１の共用端末装置３Ａの共用端末画像共有処理手段３５２は、ユーザによる共用端末入力手段３１の設定入力に基づいて、第１の共用端末情報３４１Ａをサーバ装置４へ送信することで、第１の共用端末装置３Ａを個人端末装置５との画像共有処理を実施可能な装置として登録する。そして、個人端末装置５からの画像共有接続要求を認識すると、この個人端末装置５との間で画像共有処理を実施する。
また、共用端末画像共有処理手段３５２は、ユーザにより共用端末画像共有ソフトウェア４１１を終了する旨の設定入力がされたときに、共用端末主記憶手段３３から共用端末画像共有ソフトウェア４１１を消去する。このように、共用端末画像共有処理手段３５２では、共用端末画像共有ソフトウェア４１１をインストールしないで実行するため、共用端末画像共有ソフトウェア４１１を終了させた後に画像共有処理を再度実施する場合、新たに共用端末画像共有ソフトウェア４１１をサーバ装置４からダウンロードする。なお、共用端末画像共有処理手段３５２にて、共用端末画像共有ソフトウェア４１１をダウンロードした後にユーザの設定入力の有無に関わらず自動的に実行しても良い。また、共用端末制御部３５の詳細な動作については、後述する。
【００１９】
ここで、「共用端末画像共有ソフトウェア４１１をインストールせずに実行する」という内容について、詳細に説明する。
インストールとは、アプリケーションソフトウェア（以下、アプリケーションと称す）を構成するプログラムやデータなどをハードディスクなどの共用端末補助記憶手段３４などにコピーして、必要な設定を行うことをいう。要は、共用端末補助記憶手段３４にアプリケーションを格納（保存）することをいう。これにより、次回からのアプリケーションの起動は、共用端末補助記憶手段３４よりプログラムやデータなどを読み出すことによって、達成できる。
これに対して、本実施形態における「インストールせずに実施する」とは、ダウンロードしたプログラムやデータなどをメモリなどの共用端末主記憶手段３３に展開することで、アプリケーションを実行することをいう。アプリケーションを共用端末主記憶手段３３に展開するのみなので、アプリケーションの終了など、共用端末主記憶手段３３上にアプリケーションが存在する意味がなくなった時点でアプリケーションは消去される。よって、次回、アプリケーションを起動する際には、上述したように、共用端末画像共有処理手段３５２は、新たに共用端末画像共有ソフトウェア４１１をサーバ装置４からダウンロードする。
なお、ＷＥＢからのブラウザ経由でアプリケーションをダウンロードする仕組みにおいては、共用端末補助記憶手段３４にテンポラリフォルダなる領域をつくり、そこに一時退避するという仕組みをとるのが一般的である。このような場合、テンポラリフォルダの内容は一時退避にすぎないので、共用端末補助記憶手段３４に格納（保存）することにはならず、本実施形態の「インストールせずに実施する」という概念に含まれる。
【００２０】
サーバ装置４は、コンピュータであり、図３に示すように、例えばハードディスクであるサーバ記憶手段４１と、サーバ制御部４２と、を備えている。
サーバ記憶手段４１には、共用端末装置３に画像共有処理を実施させるための共用端末画像共有ソフトウェア４１１と、個人端末装置５に画像共有処理を実施させるための第２の画像共有ソフトウェアとしての個人端末画像共有ソフトウェア４１２と、第１〜第３の共用端末情報３４１Ａ〜３４１Ｃと、が記憶されている。なお、第１〜第３の共用端末情報３４１Ａ〜３４１Ｃの全てが記憶されるのは、第１〜第３の共用端末装置３Ａ〜３Ｃの全てが画像共有可能な装置として登録されている場合であり、例えば、第１の共用端末装置３Ａのみが登録されている場合、第１の共用端末情報３４１Ａのみが記憶される。
【００２１】
サーバ制御部４２は、本発明の画像共有制御プログラムで構成された、共用端末登録手段４２１と、画像共有可能端末認識手段４２２と、選択要求手段４２３と、サーバ配信手段４２４と、を備えている。
共用端末登録手段４２１は、第１〜第３の共用端末装置３Ａ〜３Ｃから送信される第１〜第３の共用端末情報３４１Ａ〜３４１Ｃを受信して、サーバ記憶手段４１に記憶させる。
画像共有可能端末認識手段４２２は、共用端末画像共有ソフトウェア４１１の実行中で画像共有処理を実施可能な共用端末装置３を認識する。
選択要求手段４２３は、個人端末装置５から配信要求情報を受信すると、画像共有可能端末認識手段４２２で画像共有処理を実施可能と認識された共用端末装置３のうち、少なくともいずれか１つを選択する旨を要求する選択要求情報としての図示しない接続先選択要求画像を個人端末装置５へ送信する。なお、選択要求手段４２３が接続先選択要求画像を送信するタイミングは、個人端末装置５からの要求を認識したときでも良いし、個人端末装置５との接続確立を認識したときでも良い。
サーバ配信手段４２４は、共用端末画像共有ソフトウェア４１１を第１〜第３の共用端末装置３Ａ〜３Ｃへ配信する。また、サーバ配信手段４２４は、個人端末装置５から画像共有処理を実施可能と認識された共用端末装置３から接続先共用端末装置３が選択された旨の選択結果情報を受信すると、個人端末画像共有ソフトウェア４１２と、接続先共用端末装置３の共用端末情報３４１とを個人端末装置５へ配信する。
なお、サーバ制御部４２の詳細な動作については、後述する。
【００２２】
個人端末装置５は、特定のユーザの机に設置されたあるいは当該ユーザが所有するデスクトップあるいはラップトップ型のコンピュータであり、図４に示すように、図示しない操作ボタンなどを有する端末入力手段としての個人端末入力手段５１と、第１〜第３の共用端末装置３Ａ〜３Ｃと共有する画像などを表示可能な第２の端末表示手段および報知手段としての個人端末表示手段５２と、個人端末画像共有ソフトウェア４１２を一時的に記憶する例えばメモリである個人端末主記憶手段５３と、個人端末情報５４１を記憶する例えばハードディスクである個人端末補助記憶手段５４と、個人端末制御部５５と、を備えている。
個人端末制御部５５は、各種プログラムで構成された、配信要求情報送信手段５５１と、選択結果情報送信手段５５２と、データ取得手段としての個人端末ダウンロード手段５５３と、第２の画像共有処理手段としての個人端末画像共有処理手段５５４と、を備えている。
【００２３】
配信要求情報送信手段５５１は、ユーザによる個人端末入力手段５１の設定入力に基づき画像共有処理の開始を認識すると、ＷＥＢブラウザを起動して、図示しないブラウザ画面を個人端末表示手段５２で表示させる。そして、サーバ装置４との接続を確立できたか否かを判断し、確立できないと判断した場合、確立できない原因がネットワーク２の不良である旨を個人端末表示手段５２で表示させる。一方、確立できたと判断した場合、その旨の配信要求情報をサーバ装置４へ送信する。
選択結果情報送信手段５５２は、サーバ装置４との接続が確立されると、サーバ装置４から接続先選択要求画像を受信してブラウザ画面で表示させる。また、選択結果情報送信手段５５２は、ユーザによる設定入力に基づき、画像共有処理を実施可能な共用端末装置３から接続先共用端末装置３が選択されると、その旨の選択結果情報をサーバ装置４へ送信する。
個人端末ダウンロード手段５５３は、ユーザによる設定入力に基づきサーバ装置４から個人端末画像共有ソフトウェア４１２と、接続先共用端末装置３の共用端末情報３４１と、をダウンロードする。
【００２４】
個人端末画像共有処理手段５５４は、個人端末画像共有ソフトウェア４１２がダウンロードされ、ユーザの設定入力に基づき、個人端末画像共有ソフトウェア４１２がインストールされずに、個人端末主記憶手段５３に展開されて実行されると、画像共有処理を実施する。具体的には、個人端末画像共有処理手段５５４は、共用端末情報３４１のＩＰアドレスで特定される接続先共用端末装置３との間で接続を確立して、個人端末表示手段５２に表示させる画像をサーバ装置４を介さずに送信する。
また、個人端末画像共有処理手段５５４は、画像共有処理を終了すると、個人端末主記憶手段５３から個人端末画像共有ソフトウェア４１２を消去する。このように、個人端末画像共有処理手段５５４では、個人端末画像共有ソフトウェア４１２をインストールしないで実行するため、個人端末画像共有ソフトウェア４１２を終了させた後に画像共有処理を再度実施する場合、新たに個人端末画像共有ソフトウェア４１２をサーバ装置４からダウンロードする。なお、個人端末画像共有処理手段５５４にて、個人端末画像共有ソフトウェア４１２をダウンロードした後にユーザの設定入力の有無に関わらず自動的に実行しても良い。
なお、「個人端末画像共有ソフトウェア４１２をインストールせずに実行する」とは、上述の「共用端末画像共有ソフトウェア４１１をインストールせずに実行する」と同様の意味である。また、個人端末制御部５５の詳細な動作については、後述する。
【００２５】
｛画像共有システムの動作｝
次に、画像共有システム１の動作について説明する。図５は、サーバ装置の動作を示すフローチャートである。図６は、サーバ装置の共用端末装置向け配信処理を示すフローチャートである。図７は、サーバ装置の画像共有可能端末認識処理を示すフローチャートである。図８は、サーバ装置の個人端末装置向け選択要求処理を示すフローチャートである。図９は、サーバ装置の個人端末装置向け配信処理を示すフローチャートである。図１０は、第１の共用端末装置の動作を示すフローチャートである。図１１および図１２は、個人端末装置の動作を示すフローチャートである。
【００２６】
（サーバ装置の動作）
画像共有システム１のサーバ装置４は、図５に示すように、共用端末装置向け配信処理（ステップＳ１１０）と、画像共有可能端末認識処理（ステップＳ１２０）と、個人端末装置向け選択要求処理（ステップＳ１３０）と、個人端末装置向け配信処理（ステップＳ１４０）と、を実施する。以下に、各処理について、詳細に説明する。
【００２７】
ステップＳ１１０の共用端末装置向け配信処理では、サーバ装置４のサーバ配信手段４２４は、図６に示すように、第１〜第３の共用端末装置３Ａ〜３Ｃのうちの少なくともいずれか１つから、共用端末画像共有ソフトウェア４１１のダウンロード要求があったか否かを判断する（ステップＳ１１１）。そして、ステップＳ１１１において、要求があった場合、要求元の共用端末装置３へ共用端末画像共有ソフトウェア４１１を配信（ステップＳ１１２）してから共用端末装置向け配信処理を終了する。一方、ステップＳ１１１において、要求がない場合、ステップＳ１１２の処理をせずに、共用端末装置向け配信処理を終了する。
【００２８】
ステップＳ１２０の画像共有可能端末認識処理では、サーバ装置４の共用端末登録手段４２１は、図７に示すように、共用端末装置３から、自身を画像共有実施可能な共用端末装置３として登録するために、共用端末情報３４１を登録する旨の通知を受信したか否かを判断する（ステップＳ１２１）。このステップＳ１２１において、受信したと判断した場合、サーバ記憶手段４１に、当該共用端末情報３４１を登録する（記憶させる）（ステップＳ１２２）。そして、共用端末登録手段４２１は、ステップＳ１２２の処理の後、または、ステップＳ１２１で登録通知を受信していないと判断した場合、共用端末装置３から、画像共有実施可能な共用端末装置３としての登録を解除するために、共用端末情報３４１の登録解除通知を受信したか否かを判断する（ステップＳ１２３）。この登録解除通知は、例えば、共用端末画像共有ソフトウェア４１１からの共用端末装置３の電源のオフ、あるいは、ユーザによる画像共有処理を終了する旨の設定入力などに起因して発行される。
【００２９】
そして、共用端末登録手段４２１は、ステップＳ１２３において、受信したと判断した場合、サーバ記憶手段４１から共用端末情報３４１を削除する（ステップＳ１２４）。次に、画像共有可能端末認識手段４２２は、ステップＳ１２４の処理の後、または、ステップＳ１２３で登録解除通知を受信していないと判断した場合、全ての登録済み共用端末装置３が稼働中か否かを判断する（ステップＳ１２５）。このステップＳ１２５の判断処理は、例えば、登録済みの共用端末装置３との通信セッションが維持されているか否かや、稼働確認要求応答による稼働確認結果に基づいて、実施される。
ステップＳ１２５において、登録済み共用端末装置３が稼働していないと判断した場合、共用端末登録手段４２１の機能より、当該共用端末装置３の共用端末情報３４１をサーバ記憶手段４１から削除して（ステップＳ１２６）、画像共有可能端末認識処理を終了する。一方、ステップＳ１２５において、全ての登録済み共用端末装置３が稼働中であると判断した場合、ステップＳ１２６の処理をせずに、画像共有可能端末認識処理を終了する。
【００３０】
ステップＳ１３０の個人端末装置向け選択要求処理では、サーバ装置４の選択要求手段４２３は、図８に示すように、個人端末装置５とのＷＥＢブラウザ経由での接続が確立しているか否かを判断し（ステップＳ１３１）、確立していないと判断した場合、個人端末装置向け選択要求処理を終了する。一方、ステップＳ１３１において、接続が確立されていると判断した場合、サーバ記憶手段４１に登録されている共用端末情報３４１に基づく接続先選択要求画像を生成して、個人端末装置５へ送信する（ステップＳ１３２）。
この後、選択要求手段４２３は、個人端末装置５から選択結果情報を受信したか否かを判断し（ステップＳ１３３）、受信していないと判断した場合、個人端末装置向け選択要求処理を終了する。また、ステップＳ１３３において、受信したと判断した場合、この選択結果情報に基づいて、該当する接続先共用端末装置３のダウンロード画像を個人端末装置５へ送信して、個人端末装置向け選択要求処理を終了する。
【００３１】
ステップＳ１４０の個人端末装置向け配信処理では、サーバ装置４のサーバ配信手段４２４は、図９に示すように、個人端末装置５でダウンロード画像が表示中か否かを判断し（ステップＳ１４１）、表示中でないと判断した場合、個人端末装置向け配信処理を終了する。一方、ステップＳ１４１において、表示中であると判断した場合、個人端末装置５からダウンロード要求を受信したか否かを判断し（ステップＳ１４２）、受信していないと判断した場合、個人端末装置向け配信処理を終了する。
また、サーバ配信手段４２４は、ステップＳ１４２において、受信したと判断した場合、個人端末画像共有ソフトウェア４１２と、共用端末情報３４１とを個人端末装置５へ配信して（ステップＳ１４３）、個人端末装置向け配信処理を終了する。
【００３２】
（共用端末装置の動作）
画像共有システム１の第１の共用端末装置３Ａは、図１０に示すように、設定入力に基づいてＷＥＢブラウザを起動する（ステップＳ１）。そして、サーバ装置４へ接続するための設定入力がされると、サーバ装置４への接続処理を実施して、接続を確立できたか否かを判断する（ステップＳ２）。なお、このユーザによるＷＥＢブラウザの起動、設定入力を、共用端末補助記憶手段３４に自動実行するバッチプログラムなどを登録することにより自動化しても良い。
このステップＳ２において、接続を確立できていないと判断すると、確立できない原因がネットワーク２の不良である旨を共用端末表示手段３２で表示（報知）して（ステップＳ３）、処理を終了する。
一方、ステップＳ２において、第１の共用端末装置３Ａは、接続を確立できたと判断すると、サーバ装置４から共用端末画像共有ソフトウェア４１１をダウンロードして（ステップＳ４）、ユーザの設定入力に基づいて、共用端末画像共有ソフトウェア４１１をインストールせずに実行する（ステップＳ５）。
【００３３】
この後、第１の共用端末装置３Ａは、自身を画像共有実施可能な共用端末装置３として登録するために、第１の共用端末情報３４１Ａをサーバ装置４へ送信して（ステップＳ６）、個人端末装置５から画像共有接続要求を受信したか否かを判断する（ステップＳ７）。
このステップＳ７において、画像共有接続要求を受信したと判断すると、個人端末装置５との間でサーバ装置４を介さずに画像共有処理を開始する（ステップＳ８）。そして、第１の共用端末装置３Ａは、ステップＳ７において画像共有接続要求を受信していないと判断すると、画像共有接続要求受信待ちを続ける旨の設定入力がされたか否かを判断する（ステップＳ９）。または、ステップＳ８において開始された画像共有処理が停止する、例えばユーザによる個人端末装置５からの停止処理、個人端末装置５の電源オフ、他の個人端末装置５からの新たな画像共有接続要求を受信することによる共用端末画像共有ソフトウェア４１１による停止によって画像共有接続要求受信待ちを続ける旨の設定入力がされたか否かを判断する。また図示されていないが、ステップＳ８からステップＳ９の遷移条件は、開始された画像共有処理の停止である。画像共有処理の停止としては、例えばユーザによる個人端末装置５からの停止処理、個人端末装置５の電源オフ、他の個人端末装置５からの新たな画像共有接続要求を受信することによる共用端末画像共有ソフトウェア４１１による停止が考えられる。
そして、ステップＳ９において、受信待ちを続けると判断すると、ステップＳ７の処理を再度実施する。
一方、ステップＳ９において、続けないと判断すると、画像共有待ち受け処理の中止をサーバ装置４へ通知して（登録解除通知をして）（ステップＳ１０）、サーバ装置４に登録されていた画像共有処理実施可能な共用端末装置３としての登録を解除して、処理を終了する。
【００３４】
（個人端末装置の動作）
画像共有システム１の個人端末装置５は、図１１に示すように、設定入力に基づいてＷＥＢブラウザを起動して（ステップＳ２１）、サーバ装置４への接続処理を実施すると、接続を確立できたか否かを判断する（ステップＳ２２）。このステップＳ２２において、接続を確立できていないと判断すると、確立できない原因がネットワーク２の不良である旨を個人端末表示手段５２で表示（報知）して（ステップＳ２３）、処理を終了する。
一方、ステップＳ２２において、個人端末装置５は、接続を確立できたと判断すると、この時点で画像共有処理可能な共用端末装置３を特定する接続先選択要求画像をサーバ装置４から受信して表示させる（ステップＳ２４）。この後、個人端末装置５は、所定の接続先共用端末装置３を選択する接続先選択操作を認識すると（ステップＳ２５）、選択結果情報をサーバ装置４へ送信する（ステップＳ２６）。
【００３５】
個人端末装置５は、選択結果情報に対応するダウンロード画像をサーバ装置４から受信して表示させ（ステップＳ２７）、このダウンロード画像に基づき個人端末画像共有ソフトウェア４１２をダウンローする旨の設定入力がされたか否かを判断する（ステップＳ２８）。
このステップＳ２８において、ダウンロードしないと判断した場合、処理を終了する。一方、ステップＳ２８において、個人端末装置５は、ダウンロードすると判断した場合、サーバ装置４にダウンロード要求をして、個人端末画像共有ソフトウェア４１２と、接続先共用端末装置３の共用端末情報３４１（接続先共用端末情報）とをダウンロードする（ステップＳ２９）。この後、ユーザの設定入力に基づいて、個人端末画像共有ソフトウェア４１２をインストールせずに実行して（ステップＳ３０）、図１２に示すように、画像共有処理を開始する設定入力がされたか否かを判断する（ステップＳ３１）。
【００３６】
そして、ステップＳ３１において、画像共有処理を開始しないと判断した場合、例えば、ユーザにより画像共有処理の終了操作がされたか否かや、接続先共用端末装置３の電源がオフされたか否かに基づいて、画像共有処理を終了するか否かを判断する(ステップＳ３２)。このステップＳ３２において、画像共有処理を終了すると判断した場合、処理を終了し、終了しないと判断した場合、ステップＳ３１の処理を再度実施する。
また、個人端末装置５は、ステップＳ３１において、画像共有処理を開始すると判断した場合、共用端末情報３４１で特定される接続先共用端末装置３との接続を確立して（ステップＳ３３）、サーバ装置４を介さずに画像を共有する画像共有処理を開始する（ステップＳ３４）。
この後、個人端末装置５は、ユーザによる画像共有処理の停止操作がされたか否か、接続先共用端末装置３の電源オフによる画像共有処理の停止要求がされたか否か、あるいは、接続先共用端末装置３が他の個人端末装置５との画像共有処理を開始したことによる画像共有処理の停止要求がされたか否か、に基づいて、画像共有処理を一時的に停止するか否かを判断する(ステップＳ３５)。そして、停止すると判断した場合、画像共有処理を停止して、ステップＳ３１の処理を再度実施する。一方、ステップＳ３５において、停止しないと判断した場合、ステップＳ３５の処理を例えば所定時間経過後に再度実施する。
【００３７】
｛画像共有システムの作用効果｝
上述したように、第１実施形態では、以下のような作用効果を奏することができる。
【００３８】
（１）画像共有システム１の個人端末装置５は、画像共有処理の開始を認識するごとに配信要求情報をサーバ装置４へ送信して、画像共有処理を実施可能な接続先共用端末装置３の共用端末情報３４１と個人端末画像共有ソフトウェア４１２とをサーバ装置４からダウンロードする。そして、個人端末画像共有ソフトウェア４１２を実行して、共用端末情報３４１に対応する接続先共用端末装置３との間で、サーバ装置４を介さずに画像共有処理を実施する。
このため、画像の送受信にサーバ装置４を介さないため、画像を共有する接続先共用端末装置３の数が増えても、サーバ装置４にかかる負荷が増大することがなく、サーバ装置４のスペックを上げる必要もない。また、個人端末装置５により画像共有処理ごとに配信要求情報を送信して個人端末画像共有ソフトウェア４１２をダウンロードするため、配信要求情報の送信後に接続が確立できない問題が生じた場合には、その原因がネットワーク２にあり、個人端末画像共有ソフトウェア４１２のダウンロード後に問題が生じた場合には、その原因がダウンロード処理あるいは個人端末画像共有ソフトウェア４１２もしくはその設定であることを容易に特定できる。したがって、コストの増大を招くことなく接続不良時にも適切な対応をとることが可能な画像共有システム１を提供できる。
【００３９】
（２）個人端末装置５は、個人端末画像共有ソフトウェア４１２をインストールせずに実行している。
ここで、一般的にインストール行為には、端末装置（コンピュータ）の管理者（Ａｄｍｉｎｉｓｔｒａｔｏｒ）などの権限が必要であり、権限がないユーザ（以下、一般ユーザと称す）にはインストールする行為が禁じられている。このため、個人端末画像共有ソフトウェア４１２のインストールを前提の構成にすると、一般ユーザは、端末装置を使えず、画像共有システム１を利用できない。
これに対して、本実施形態では、個人端末画像共有ソフトウェア４１２をインストールせずに実行するため、一般ユーザにも画像共有システム１を利用させることができる。
さらに、共用端末装置３も共用端末画像共有ソフトウェア４１１をインストールせずに実行しているため、同様の効果を奏することができる。
【００４０】
（３）サーバ装置４は、画像共有システム１に登録されている共用端末装置３のうち、共用端末画像共有ソフトウェア４１１を実行中で画像共有処理を実施可能な共用端末装置３を認識し、この共用端末装置３の共用端末情報３４１を個人端末装置５へ配信している。
このため、個人端末装置５において画像共有処理を実施可能な共用端末装置３を確実に選択できる。
【００４１】
（４）個人端末装置５は、サーバ装置４からの接続先選択要求画像を表示させ、ユーザに接続先共用端末装置３を選択させている。そして、ユーザの設定入力に基づく選択結果情報をサーバ装置４へ送信し、サーバ装置４から接続先共用端末装置３の共用端末情報３４１を受信して、画像共有処理を実施している。
このため、画像共有処理を実施可能な共用端末装置３が複数ある場合に、個人端末装置５のユーザが所望する共用端末装置３との間で画像共有処理を実施できる。
【００４２】
（５）個人端末装置５は、個人端末画像共有ソフトウェア４１２のダウンロードの有無をユーザの設定入力に依存させている。
このため、個人端末画像共有ソフトウェア４１２のセキュリティ審査などの制限をなくすことができる。
【００４３】
［第２実施形態］
次に、本発明に係る第２実施形態を図面に基づいて説明する。
【００４４】
｛画像共有システムの構成｝
まず、画像共有システムの構成について説明する。
図１３は、第１〜第３の共用端末装置の概略構成を示すブロック図である。図１４は、個人端末装置の概略構成を示すブロック図である。
【００４５】
図１に示すように、画像共有システム１Ａは、ネットワーク２と、第１の端末装置としての第１，第２，第３の共用端末装置６Ａ，６Ｂ，６Ｃと、サーバ装置４と、第２の端末装置としての個人端末装置７と、を備えている。以下において、第１〜第３の共用端末装置６Ａ〜６Ｃのうちの任意のものについて説明する際には、共用端末装置６と表現する。
【００４６】
第１〜第３の共用端末装置６Ａ〜６Ｃは、図１３に示すように、共用端末入力手段３１と、共用端末表示手段３２と、共用端末主記憶手段３３と、共用端末補助記憶手段３４と、共用端末制御部６５と、を備えている。
第２実施形態の共用端末主記憶手段３３には、共用端末補助記憶手段３４に記憶された共用端末画像共有ソフトウェア４１１が展開される。
第１〜第３の共用端末装置６Ａ〜６Ｃの共用端末補助記憶手段３４には、第１〜第３の共用端末情報３４１Ａ〜３４１Ｃがそれぞれ記憶されている。また、共用端末補助記憶手段３４には、共用端末画像共有ソフトウェア４１１が記憶（格納）されている。この共用端末画像共有ソフトウェア４１１がインストールされると、第１〜第３の共用端末装置６Ａ〜６Ｃに対して、画像共有処理に必要な各種設定が行われる。
【００４７】
共用端末制御部６５は、各種プログラムで構成された、共用端末ダウンロード手段３５１と、第１の画像共有処理手段としての共用端末画像共有処理手段６５２と、を備えている。
共用端末画像共有処理手段６５２は、ユーザによる設定入力に基づき共用端末画像共有ソフトウェア４１１がインストールされて、このインストールされた共用端末画像共有ソフトウェア４１１が共用端末主記憶手段３３に展開されて実行されると、画像共有処理をする。そして、共用端末画像共有処理手段６５２は、上記第１実施形態の共用端末画像共有処理手段３５２と同様の処理を実施する。
また、共用端末画像共有処理手段６５２は、画像共有処理を終了すると、共用端末主記憶手段３３から共用端末画像共有ソフトウェア４１１を消去するが、共用端末補助記憶手段３４から共用端末画像共有ソフトウェア４１１を消去しない。このように、共用端末画像共有処理手段６５２では、共用端末画像共有ソフトウェア４１１をインストールしてから実行するため、共用端末画像共有ソフトウェア４１１を終了させた後に画像共有処理を再度実施する場合、新たに共用端末画像共有ソフトウェア４１１をサーバ装置４からダウンロードせずに、共用端末補助記憶手段３４の共用端末画像共有ソフトウェア４１１を実行する。
なお、共用端末ダウンロード手段３５１を設けない構成として、ＣＤ（Compact Disk）やＤＶＤ（Digital Versatile Disc）あるいはＵＳＢ（Universal Serial Bus）メモリなどの記録媒体から読み取った共用端末画像共有ソフトウェア４１１を共用端末補助記憶手段３４に記憶させても良い。
【００４８】
個人端末装置７は、図１４に示すように、個人端末入力手段５１と、個人端末表示手段５２と、個人端末主記憶手段５３と、個人端末補助記憶手段５４と、個人端末制御部７５と、を備えている。
第２実施形態の個人端末主記憶手段５３には、個人端末補助記憶手段５４に記憶された個人端末画像共有ソフトウェア４１２が展開される。
個人端末補助記憶手段５４には、個人端末情報５４１と、個人端末画像共有ソフトウェア４１２が記憶（格納）されている。この個人端末画像共有ソフトウェア４１２がインストールされると、個人端末装置７に対して、画像共有処理に必要な各種設定が行われる。
【００４９】
個人端末制御部７５は、各種プログラムで構成された、配信要求情報送信手段５５１と、選択結果情報送信手段５５２と、個人端末ダウンロード手段５５３と、第２の画像共有処理手段としての個人端末画像共有処理手段７５４と、を備えている。
個人端末画像共有処理手段７５４は、ユーザによる設定入力に基づき個人端末画像共有ソフトウェア４１２がインストールされて、このインストールされた個人端末画像共有ソフトウェア４１２が個人端末主記憶手段５３に展開されて実行されると、画像共有処理をする。そして、個人端末画像共有処理手段７５４は、上記第１実施形態の個人端末画像共有処理手段５５４と同様の処理を実施する。
また、個人端末画像共有処理手段７５４は、画像共有処理を終了すると、個人端末主記憶手段５３から個人端末画像共有ソフトウェア４１２を消去するが、個人端末補助記憶手段５４から個人端末画像共有ソフトウェア４１２を消去しない。このように、個人端末画像共有処理手段７５４では、個人端末画像共有ソフトウェア４１２をインストールしてから実行するため、個人端末画像共有ソフトウェア４１２を終了させた後に画像共有処理を再度実施する場合、新たに個人端末画像共有ソフトウェア４１２をサーバ装置４からダウンロードせずに、個人端末補助記憶手段５４の個人端末画像共有ソフトウェア４１２を実行する。
【００５０】
｛画像共有システムの動作｝
次に、画像共有システム１Ａの動作について説明する。図１５は、第１の共用端末装置の動作を示すフローチャートである。第１実施形態の第１の共用端末装置の動作を示すフローチャートである図１０と同じ処理については同じ符号にて示す。図１６は、個人端末装置の動作を示すフローチャートである。第１実施形態の個人端末装置の動作を示すフローチャートである図１１，１２と同じ処理については同じ符号にて示す。
【００５１】
（共用端末装置の動作）
画像共有システム１Ａの第１の共用端末装置６Ａは、図１５に示すように、ステップＳ１〜Ｓ３の処理をする。また、第１の共用端末装置６Ａは、ステップＳ２において、接続を確立できたと判断すると、共用端末画像共有ソフトウェア４１１がインストールされているか否かを判断する（ステップＳ４１）。
このステップＳ４１において、インストールされていないと判断した場合、ステップＳ４の処理を実施して（サーバ装置４から共用端末画像共有ソフトウェア４１１をダウンロードして）、ユーザの設定入力に基づいて、共用端末画像共有ソフトウェア４１１をインストールして（共用端末補助記憶手段３４に格納して）実行する（ステップＳ４２）。この後、ステップＳ６〜Ｓ１０の処理をする。
一方、ステップＳ４１において、インストールされていると判断した場合、共用端末補助記憶手段３４から共用端末画像共有ソフトウェア４１１を読み出して実行し（ステップＳ４３）、ステップＳ６〜Ｓ１０の処理をする。
【００５２】
（個人端末装置の動作）
画像共有システム１Ａの個人端末装置７は、図１６に示すように、ステップＳ２１〜Ｓ２８の処理をする。また、個人端末装置７は、ステップＳ２８でダウンロード画像に基づき個人端末画像共有ソフトウェア４１２をダウンロードすると認識すると、個人端末画像共有ソフトウェア４１２がインストールされているか否かを判断する（ステップＳ５１）。
このステップＳ５１において、インストールされていないと判断した場合、ステップＳ２９の処理を実施して（サーバ装置４から個人端末画像共有ソフトウェア４１２と共用端末情報３４１をダウンロードして）、ユーザの設定入力に基づいて、個人端末画像共有ソフトウェア４１２をインストールして（個人端末補助記憶手段５４に格納して）実行する（ステップＳ５２）。この後、図１２に示すようなステップＳ３１〜Ｓ３５の処理をする。
一方、ステップＳ５１において、インストールされていると判断した場合、共用端末情報３４１のみをダウンロードして（ステップＳ５３）、個人端末補助記憶手段５４から個人端末画像共有ソフトウェア４１２を読み出して実行し（ステップＳ５４）、ステップＳ３１〜Ｓ３５の処理をする。
【００５３】
｛画像共有システムの作用効果｝
上述したように、第２実施形態では、上記第１実施形態の（１），（３）〜（５）と同様の作用効果に加えて、以下のような作用効果を奏することができる。
【００５４】
（６）個人端末装置７は、個人端末画像共有ソフトウェア４１２をインストールしてから実行している。
このため、画像共有システム１Ａを利用するごとに、個人端末画像共有ソフトウェア４１２をダウンロードしてインストールする必要がないため、ダウンロードと個人端末画像共有ソフトウェア４１２の設定とをそれぞれ１回で済ませることができ、画像共有処理開始までの時間を短縮できる。また、共用端末装置３についても、共用端末画像共有ソフトウェア４１１をインストールしてから実行しているため、同様の作用効果を奏することができる。
【００５５】
［第３実施形態］
次に、本発明に係る第３実施形態を図面に基づいて説明する。
図１７は、第３実施形態に係る画像共有システムの概略構成を示すブロック図である。図１８は、第１の共用端末装置の概略構成を示すブロック図である。
図１７に示すように、画像共有システム１Ｂは、ネットワーク２と、第１の端末装置としての第１，第２，第３の共用端末装置１００，３Ｂ，３Ｃと、第２の端末装置としての２個の個人端末装置５と、を備えている。
なお、第２，第３の共用端末装置３Ｂ，３Ｃは、図２に示す第１実施形態のものと同一である。
【００５６】
第１の共用端末装置１００は、コンピュータであり、第１実施形態の第１の共用端末装置３Ａと同様の構成に加えて、第１実施形態のサーバ装置４と同様の機能を備えている。具体的には、第１の共用端末装置１００は、図１８に示すように、共用端末入力手段３１と、共用端末表示手段３２と、共用端末主記憶手段３３と、共用端末補助記憶手段３４と、共用端末制御部１１０と、を備えている。
共用端末主記憶手段３３には、共用端末画像共有ソフトウェア４１１が展開される。共用端末補助記憶手段３４には、第１〜第３の共用端末情報３４１Ａ〜３４１Ｃと、共用端末画像共有ソフトウェア４１１と、個人端末画像共有ソフトウェア４１２と、が記憶されている。
共用端末制御部１１０は、各種プログラムで構成された、共用端末ダウンロード手段３５１と、共用端末画像共有処理手段３５２と、共用端末登録手段４２１と、画像共有可能端末認識手段４２２と、選択要求手段４２３と、第１の端末配信手段としての共用端末配信手段１１１と、を備えている。
共用端末配信手段１１１は、第１実施形態のサーバ配信手段４２４と同様の処理、具体的には、図６に示すような第２，第３の共用端末装置３Ｂ，３Ｃへの共用端末装置向け配信処理、図９に示すような個人端末装置向け配信処理を実施する。
【００５７】
そして、個人端末装置５は、第２の共用端末装置３Ｂとの間で画像共有処理を実施する場合、第１の共用端末装置１００から個人端末画像共有ソフトウェア４１２と、第２の共用端末情報３４１Ｂとをダウンロードする。そして、個人端末画像共有ソフトウェア４１２の実行により、第１の共用端末装置１００を介さずに、個人端末装置５で表示中の画像を第２の共用端末装置３Ｂで表示させる画像共有処理を実施する。また、個人端末装置５は、第１の共用端末装置１００との間で画像共有処理を実施する場合、個人端末画像共有ソフトウェア４１２と、第１の共用端末情報３４１Ａとをダウンロードして、第１の共用端末装置１００との間で画像共有処理を実施する。
【００５８】
｛画像共有システムの作用効果｝
上述したように、第３実施形態では、以下のような作用効果を奏することができる。
【００５９】
（７）第１の共用端末装置１００が接続先共用端末装置３でない場合には、第１の共用端末装置１００を介さずに画像の送受信が行われるため、画像を共有する接続先共用端末装置３の数が増えても、第１の共用端末装置１００にかかる負荷が増大することがなく、第１の共用端末装置１００のスペックを上げる必要もない。また、個人端末装置５により画像共有処理ごとに配信要求情報を送信して個人端末画像共有ソフトウェア４１２をダウンロードするため、上記第１実施形態と同様に、配信要求情報の送信後に接続が確立できない問題が生じた場合や、個人端末画像共有ソフトウェア４１２のダウンロード後に問題が生じた場合に、その原因を容易に特定できる。したがって、コストの増大を招くことなく接続不良時にも適切な対応をとることが可能な画像共有システムを提供できる。
【００６０】
［実施形態の変形］
なお、本発明は、上述した実施形態に限定されるものではなく、本発明の目的を達成できる範囲で以下に示される変形をも含むものである。
【００６１】
すなわち、第１実施形態のサーバ装置４の代わりに、図１９に示すようなサーバ装置８を適用して、図２０に示すような処理を実施する構成としても良い。
具体的には、サーバ装置８は、サーバ装置４のサーバ制御部４２に特定情報変換手段としての端末情報変換手段８２５をさらに設けるとともに選択要求手段４２３の代わりに選択要求手段８２３を備えたサーバ制御部８２を備えている。また、サーバ記憶手段４１には、変換規則情報４１３が記憶されている。この変換規則情報４１３には、共用端末情報３４１のＩＰアドレスを表す数字を１６進数に変換する旨が記録されている。
なお、変換規則情報４１３としては、共用端末情報３４１の数字を、２進数や８進数あるいはアルファベットなどの所定の規則に基づき変換した１０進数以外の数字や文字で表す旨、さらにはハッシュ関数などで暗号化した旨を記録したものであっても良い。また、第１〜第３の共用端末装置３Ａ〜３Ｃごとに、異なる条件で変換するようにしても良い。
端末情報変換手段８２５は、個人端末装置５から選択結果情報を受信すると、接続先共用端末装置３に対応するＩＰアドレスを変換規則情報４１３に基づいて１６進数に変換する。例えば、第１の共用端末装置３Ａを接続先共用端末装置３として選択する旨を認識すると、第１の共用端末情報３４１ＡのＩＰアドレスである「１７２．２４．１１．１５７」を「ＡＣ１８０Ｂ９Ｄ」に変換する。なお、以下において、１６進数に変換されたＩＰアドレスを、変換後アドレスと称して説明する。
選択要求手段８２３は、端末情報変換手段８２５の処理で得られる変換後アドレスをブラウザのタイトル部分に表示させるためのダウンロード画像を、個人端末装置５へ送信する。
【００６２】
そして、図２０に示すように、サーバ装置８は、ステップＳ２６の処理による選択結果情報を個人端末装置５から受信すると、この選択結果情報に基づき接続先共用端末装置３のＩＰアドレスを変換後アドレスに変換する。そして、この変換後アドレスをブラウザのタイトル部分に表示させるダウンロード画像を生成して、個人端末装置５へ配信する。
個人端末装置５は、ステップＳ２７で変換後アドレスを含むダウンロード画像を表示させ、ステップＳ２８でダウンロードすると判断すると、サーバ装置８にダウンロード要求をする。
サーバ装置８は、ダウンロード要求を受信すると、変換規則情報４１３と、個人端末画像共有ソフトウェア４１２とを個人端末装置５へ配信する。このとき、個人端末画像共有ソフトウェア４１２と変換規則情報４１３は接続先共用端末装置３に応じて変化しないため、個人端末画像共有ソフトウェア４１２と変換規則情報４１３を一体化して送信する。
【００６３】
個人端末装置５は、サーバ装置８から個人端末画像共有ソフトウェア４１２と、変換規則情報４１３と、をダウンロードすると（ステップＳ６１）、ステップＳ３０の処理、つまり個人端末画像共有ソフトウェア４１２をインストールせずに実行する処理をする。
この後、個人端末装置５の個人端末画像共有処理手段５５４は、ダウンロード画像の所定位置に表示されている接続先共用端末装置３の変換後アドレス（接続先共用端末変換アドレス）を読み取る（ステップＳ６２）。そして、個人端末ダウンロード手段５５３は、変換規則情報４１３に基づき、接続先共用端末変換アドレスを１０進数に戻して、変換される前の接続先共用端末情報を認識する（ステップＳ６３）。そして、個人端末画像共有処理手段５５４は、接続先共用端末情報で特定される接続先共用端末装置３との間で画像共有処理、すなわち図１２に示すようなステップＳ３１〜Ｓ３５の処理をする。
【００６４】
この図１９，２０に示す構成によれば、個人端末装置５に、ダウンロード画像上で接続先共用端末装置３のＩＰアドレスを１０進数で表示させるのでなく、１６進数に変換した変換後アドレスが表示されている。
このため、変換後アドレスはダウンロード画像上に表示されるため、変換後アドレスを見ても接続先共用端末装置３を特定することが困難になり、セキュリティ性を高めることができる。また、接続先共用端末装置３に応じて変化しない個人端末画像共有ソフトウェア４１２と変換規則情報４１３のダウンロード処理シーケンスと、接続先共用端末装置３に応じて変化する変換後アドレスのダウンロード処理シーケンスと、を統一化させないので、処理の複雑化を招くこともない。
なお、第２，第３実施形態の構成に同様の変形例を適用しても良い。
【００６５】
また、サーバ装置４から、画像共有システム１に登録されている共用端末装置３が共用端末画像共有ソフトウェア４１１を実行中か否かにかかわらず、全ての共用端末装置３の共用端末情報３４１を個人端末装置５へ配信して、個人端末装置５で接続先共用端末装置３を選択させても良い。
【００６６】
そして、本発明の第１の端末装置としては、特定のユーザの机に設置されたあるいは当該ユーザが所有する端末装置であっても良いし、第２の端末装置としては、不特定のユーザが利用可能に例えば会議室などに設置された端末装置であっても良い。さらに、共用端末装置３に本発明の第２の端末装置の機能を持たせて、個人端末装置５で表示された画像を共用端末装置３で表示させ、共用端末装置３で表示された画像を個人端末装置５で表示させても良い。
また、本発明の第１の端末情報としては、ＩＰアドレスとポートの両方を特定する情報であっても良い。
さらに、個人端末装置５において接続先選択要求画像を表示させる構成を例示したが、接続先選択要求画像と同様の内容を音声で報知してユーザに選択させても良い。
そして、上記実施形態では、共用端末画像共有ソフトウェア４１１や個人端末画像共有ソフトウェア４１２を専用のアプリケーションであることを想定しているが、ＷＥＢブラウザ上で各ソフトウェア４１１，４１２を起動する構成としても良い。
さらには、第１実施形態の共用端末画像共有ソフトウェア４１１をインストールせずに実行する共用端末装置３と、第２実施形態の個人端末画像共有ソフトウェア４１２をインストールして実行する個人端末装置７とを備えた画像共有システムとしても良いし、第２実施形態の共用端末画像共有ソフトウェア４１１をインストールして実行する共用端末装置６と、第１実施形態の個人端末画像共有ソフトウェア４１２をインストールせずに実行する個人端末装置５とを備えた画像共有システムとしても良い。
【００６７】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【００６８】
その他、本発明の実施の際の具体的な構造および手順は、本発明の目的を達成できる範囲で他の構造などに適宜変更できる。
【００６９】
［実施形態の効果］
上述したように、上記実施形態では、画像共有システム１の個人端末装置５は、画像共有処理の開始を認識するごとに配信要求情報をサーバ装置４へ送信して、共用端末情報３４１と個人端末画像共有ソフトウェア４１２とをサーバ装置４からダウンロードする。そして、個人端末画像共有ソフトウェア４１２をインストールせずに実行して、共用端末情報３４１に対応する接続先共用端末装置３との間で、サーバ装置４を介さずに画像共有処理を実施する。
このため、画像の送受信にサーバ装置４を介さないため、画像を共有する接続先共用端末装置３の数が増えても、サーバ装置４にかかる負荷が増大することがなく、サーバ装置４のスペックを上げる必要もない。また、個人端末装置５により画像共有処理ごとに配信要求情報を送信して個人端末画像共有ソフトウェア４１２をダウンロードするため、配信要求情報の送信後に接続が確立できない問題が生じた場合には、その原因がネットワーク２、もしくは自分の個人端末装置５のネットワーク接続設定にあり、個人端末画像共有ソフトウェア４１２のダウンロード後に問題が生じた場合には、その原因がダウンロード処理あるいは個人端末画像共有ソフトウェア４１２もしくはその設定であることを容易に特定できる。したがって、コストの増大を招くことなく接続不良時にも適切な対応をとることが可能な画像共有システム１を提供できる。
【産業上の利用可能性】
【００７０】
本発明は、画像共有システム、サーバ装置、画像共有方法、画像共有制御方法、および、画像共有制御方法を記録した記録媒体として利用できる。
【符号の説明】
【００７１】
１，１Ａ，１Ｂ…画像共有システム
２…ネットワーク
３Ａ，３Ｂ，３Ｃ，６Ａ，６Ｂ，６Ｃ，１００…第１の端末装置としての第１，第２，第３の共用端末装置
４，８…サーバ装置
５，７…第２の端末装置としての個人端末装置
３２…第１の端末表示手段としての共用端末表示手段
３４…第１の端末記憶手段としても機能する共用端末補助記憶手段
４１…サーバ記憶手段
５１…端末入力手段としての個人端末入力手段
５２…第２の端末表示手段および報知手段としての個人端末表示手段
３４１Ａ，３４１Ｂ，３４１Ｃ…第１の端末情報としての第１，第２，第３の共用端末情報
１１１…第１の端末配信手段としての共用端末配信手段
３５２，６５２…第１の画像共有処理手段としての共用端末画像共有処理手段
４１１…第１の画像共有ソフトウェアとしての共用端末画像共有ソフトウェア
４１２…第２の画像共有ソフトウェアとしての個人端末画像共有ソフトウェア
４１３…変換規則情報
４２２…画像共有可能端末認識手段
４２３，８２３…選択要求手段
４２４…サーバ配信手段
５５１…配信要求情報送信手段
５５２…選択結果情報送信手段
５５３…データ取得手段としての個人端末ダウンロード手段
５５４，７５４…第２の画像共有処理手段としての個人端末画像共有処理手段
８２５…特定情報変換手段としての端末情報変換手段
【手続補正２】
【補正対象書類名】特許請求の範囲
【補正対象項目名】全文
【補正方法】変更
【補正の内容】
【特許請求の範囲】
【請求項１】
所定の画像を表示可能な第１の端末表示手段を有する第１の端末装置と、
所定の画像を表示可能な第２の端末表示手段を有し、前記第１の端末装置にネットワークを介して接続可能な第２の端末装置と、
前記第１の端末装置および前記第２の端末装置に前記ネットワークを介して接続可能なサーバ装置と、を具備し、
前記第２の端末装置で表示された画像を前記第１の端末装置でも同時に表示させる画像共有処理を実施する画像共有システムであって、
前記サーバ装置は、
前記第１の端末装置を特定する第１の端末情報および前記第２の端末装置で前記画像共有処理を実施するための第２の画像共有ソフトウェアを記憶するサーバ記憶手段と、
前記第２の端末装置から送信される配信要求情報に基づいて、前記第１の端末情報および前記第２の画像共有ソフトウェアを前記第２の端末装置へ配信するサーバ配信手段と、を備え、
前記第１の端末装置は、前記画像共有処理を実施するための第１の画像共有ソフトウェアを取得して、この第１の画像共有ソフトウェアに基づいて前記第２の端末装置との間で前記画像共有処理を実施する第１の画像共有処理手段を備え、
前記第２の端末装置は、
前記画像共有処理の開始を認識するごとに、前記配信要求情報を前記サーバ装置へ送信する配信要求情報送信手段と、
前記配信要求情報に対応する前記第１の端末情報および前記第２の画像共有ソフトウェアを取得するデータ取得手段と、
このデータ取得手段で前記第２の画像共有ソフトウェアが取得されると、前記第２の画像共有ソフトウェアを実行して、前記第１の端末情報で特定される第１の端末装置との間で前記サーバ装置を介さずに前記画像共有処理を実施する第２の画像共有処理手段と、を備え、
前記第１の端末装置は、前記第１の画像共有ソフトウェアを取得する際に、ＷＥＢブラウザを起動して、前記サーバ装置への接続処理を実施して、前記サーバ装置との接続を確立できたか否かを判断し、前記サーバ装置との接続を確立できていないと判断すると、前記サーバ装置との接続を確立できない原因が前記ネットワークの不良である旨を前記第１の端末表示手段で表示し、前記サーバ装置との接続を確立できたと判断すると、前記サーバ装置から前記第１の画像共有ソフトウェアを取得し、
前記第２の端末装置は、前記第２の画像共有ソフトウェアを取得する際に、ＷＥＢブラウザを起動して、前記サーバ装置への接続処理を実施して、前記サーバ装置との接続を確立できたか否かを判断し、前記サーバ装置との接続を確立できていないと判断すると、前記サーバ装置との接続を確立できない原因が前記ネットワークの不良である旨を前記第２の端末表示手段で表示し、前記サーバ装置との接続を確立できたと判断すると、前記サーバ装置から前記第２の画像共有ソフトウェアを取得する
ことを特徴とする画像共有システム。
【請求項２】
請求項１に記載の画像共有システムにおいて、
前記サーバ装置は、
前記サーバ記憶手段に前記第１の端末情報が記憶されている複数の前記第１の端末装置のうち、前記第１の画像共有ソフトウェアを実行中であり前記第２の端末装置との間で前記画像共有処理を実施可能な前記第１の端末装置を認識する画像共有可能端末認識手段を備え、
前記サーバ配信手段は、前記配信要求情報に基づいて、前記画像共有処理を実施可能と前記画像共有可能端末認識手段で認識されている前記第１の端末装置の前記第１の端末情報を前記第２の端末装置へ配信する
ことを特徴とする画像共有システム。
【請求項３】
請求項２に記載の画像共有システムにおいて、
前記サーバ装置は、
前記画像共有可能端末認識手段で前記画像共有処理を実施可能と認識された複数の前記第１の端末装置から少なくともいずれか１つの第１の端末装置の選択を要求する選択要求情報を前記第２の端末装置へ送信する選択要求手段を備え、
前記第２の端末装置は、
各種情報を設定入力可能な端末入力手段と、
前記選択要求情報に基づく前記要求を報知する報知手段と、
前記端末入力手段による設定入力に基づいて、前記少なくともいずれか１つの第１の端末装置を選択する旨の選択結果情報を前記サーバ装置へ送信する選択結果情報送信手段と、を備え、
前記サーバ配信手段は、前記選択結果情報に基づく前記第１の端末装置の第１の端末情報を前記第２の端末装置へ配信する
ことを特徴とする画像共有システム。
【請求項４】
請求項１から請求項３のいずれかに記載の画像共有システムにおいて、
前記サーバ記憶手段には、前記第１の端末情報を異なる内容に変換する規則に関する変換規則情報が記憶され、
前記サーバ装置は、
前記変換規則情報に基づいて前記第１の端末情報を変換する端末情報変換手段を備え、
前記サーバ配信手段は、前記端末情報変換手段で変換された前記第１の端末情報および前記変換規則情報を前記第２の端末装置へ配信し、
前記第２の端末装置は、
各種情報を設定入力可能な端末入力手段を備え、
前記第２の画像共有処理手段は、前記変換された第１の端末情報を表示させる変換後情報表示処理を実施する
ことを特徴とする画像共有システム。
【請求項５】
所定の画像を表示可能な第１の端末表示手段を有する第１の端末装置と、
所定の画像を表示可能な第２の端末表示手段を有し、前記第１の端末装置にネットワークを介して接続可能な第２の端末装置と、を具備し、
前記第２の端末装置で表示された画像を前記第１の端末装置でも同時に表示させる画像共有処理を実施する画像共有システムであって、
前記第１の端末装置は、
前記第２の端末装置で前記画像共有処理を実施するための第２の画像共有ソフトウェアを記憶する第１の端末記憶手段と、
前記第２の端末装置から送信される配信要求情報に基づいて、前記第２の画像共有ソフトウェアを前記第２の端末装置へ配信する第１の端末配信手段と、
前記画像共有処理を実施するための第１の画像共有ソフトウェアを取得して、この第１の画像共有ソフトウェアに基づいて前記第２の端末装置との間で前記画像共有処理を実施する第１の画像共有処理手段と、を備え、
前記第２の端末装置は、
前記画像共有処理の開始を認識するごとに、前記配信要求情報を前記第１の端末装置へ送信する配信要求情報送信手段と、
前記配信要求情報に対応する前記第２の画像共有ソフトウェアを取得するデータ取得手段と、
このデータ取得手段で前記第２の画像共有ソフトウェアが取得されると、前記第２の画像共有ソフトウェアを実行して、前記第１の端末装置との間で前記画像共有処理を実施する第２の画像共有処理手段と、を備え、
前記第２の端末装置は、前記第２の画像共有ソフトウェアを取得する際に、ＷＥＢブラウザを起動して、前記第１の端末装置への接続処理を実施して、前記第１の端末装置との接続を確立できたか否かを判断し、前記第１の端末装置との接続を確立できていないと判断すると、前記第１の端末装置との接続を確立できない原因が前記ネットワークの不良である旨を前記第２の端末表示手段で表示し、前記第１の端末装置との接続を確立できたと判断すると、前記第１の端末装置から前記第２の画像共有ソフトウェアを取得する
ことを特徴とする画像共有システム。
【請求項６】
請求項１から請求項５のいずれかに記載の画像共有システムにおいて、
前記第２の画像共有処理手段は、前記第２の画像共有ソフトウェアをインストールせずに実行して、前記画像共有処理を実施する
ことを特徴とする画像共有システム。
【請求項７】
所定の画像を表示可能な第１の端末表示手段を有する少なくとも１つの第１の端末装置と、所定の画像を表示可能な第２の端末表示手段を有し、前記第１の端末装置にネットワークを介して接続可能な第２の端末装置と、に前記ネットワークを介して接続可能であり、
前記第２の端末装置で表示された画像を前記第１の端末装置でも同時に表示させる画像共有処理を制御するサーバ装置であって、
前記第１の端末装置を特定する第１の端末情報および前記第２の端末装置で前記画像共有処理を実施するための第２の画像共有ソフトウェアを記憶するサーバ記憶手段と、
前記サーバ記憶手段に前記第１の端末情報が記憶されている前記第１の端末装置のうち、前記画像共有処理を実施するための第１の画像共有ソフトウェアを実行中であり前記第２の端末装置との間で前記画像共有処理を実施可能な前記第１の端末装置を認識する画像共有可能端末認識手段と、
前記第２の端末装置から送信される配信要求情報に基づいて、前記画像共有処理を実施可能と前記画像共有可能端末認識手段で認識されている前記第１の端末装置の前記第１の端末情報および前記第２の画像共有ソフトウェアを前記第２の端末装置へ配信し、この配信に応答して前記第２の端末装置で前記第２の画像共有ソフトウェアを実行させて、前記第１の端末情報で特定される第１の端末装置との間で前記サーバ装置を介さずに前記画像共有処理を実施させるサーバ配信手段と、
を備えていることを特徴とするサーバ装置。
【請求項８】
請求項７に記載のサーバ装置において、
前記サーバ記憶手段には、前記第１の端末情報を異なる内容に変換する規則に関する変換規則情報が記憶され、
前記変換規則情報に基づいて前記第１の端末情報を変換する端末情報変換手段を備え、
前記サーバ配信手段は、前記端末情報変換手段で変換された前記第１の端末情報および前記変換規則情報を前記第２の端末装置へ配信し、前記第２の端末装置で前記変換規則情報に基づき前記変換される前の第１の端末情報を表示させる
ことを特徴とするサーバ装置。
【請求項９】
所定の画像を表示可能な第１の端末表示手段を有する第１の端末装置と、
所定の画像を表示可能な第２の端末表示手段を有し、前記第１の端末装置にネットワークを介して接続可能な第２の端末装置と、
前記第１の端末装置および前記第２の端末装置に前記ネットワークを介して接続可能なサーバ装置と、を用い、
前記第２の端末装置で表示された画像を前記第１の端末装置でも同時に表示させる画像共有処理を実施する画像共有方法であって、
前記サーバ装置に、前記第１の端末装置を特定する第１の端末情報および前記第２の端末装置で前記画像共有処理を実施するための第２の画像共有ソフトウェアを記憶するサーバ記憶手段を設け、
前記第１の端末装置で前記画像共有処理を実施するための第１の画像共有ソフトウェアを取得する際に、ＷＥＢブラウザを起動して、前記サーバ装置への接続処理を実施して、前記サーバ装置との接続を確立できたか否かを判断し、前記サーバ装置との接続を確立できていないと判断すると、前記サーバ装置との接続を確立できない原因が前記ネットワークの不良である旨を前記第１の端末表示手段で表示し、前記サーバ装置との接続を確立できたと判断すると、前記サーバ装置から前記第１の端末装置へ前記第１の画像共有ソフトウェアを配信する工程と、
前記第２の端末装置で前記画像共有処理の開始を認識するごとに、ＷＥＢブラウザを起動して、前記サーバ装置への接続処理を実施して、前記サーバ装置との接続を確立できたか否かを判断し、前記サーバ装置との接続を確立できていないと判断すると、前記サーバ装置との接続を確立できない原因が前記ネットワークの不良である旨を前記第２の端末表示手段で表示し、前記サーバ装置との接続を確立できたと判断すると、前記第２の端末装置から前記サーバ装置へ配信要求情報を送信する工程と、
前記配信要求情報に基づいて、前記サーバ装置から前記第２の端末装置へ前記第１の端末情報および前記第２の画像共有ソフトウェアを配信する工程と、
前記第２の端末装置で前記第２の画像共有ソフトウェアが取得されると、前記第２の画像共有ソフトウェアを実行して、前記第２の端末装置と前記第１の端末情報で特定され、前記第１の画像共有ソフトウェアに基づき画像共有処理を実施可能な第１の端末装置との間で前記サーバ装置を介さずに前記画像共有処理を実施する工程と、を実施する
ことを特徴とする画像共有方法。
【請求項１０】
所定の画像を表示可能な第１の端末表示手段を有する第１の端末装置と、
所定の画像を表示可能な第２の端末表示手段を有し、前記第１の端末装置にネットワークを介して接続可能な第２の端末装置と、を用い、
前記第２の端末装置で表示された画像を前記第１の端末装置でも同時に表示させる画像共有処理を実施する画像共有方法であって、
前記第１の端末装置に、前記第２の端末装置で前記画像共有処理を実施するための第２の画像共有ソフトウェアを記憶する第１の端末記憶手段を設け、
前記第２の端末装置で前記画像共有処理の開始を認識するごとに、ＷＥＢブラウザを起動して、前記第１の端末装置への接続処理を実施して、前記第１の端末装置との接続を確立できたか否かを判断し、前記第１の端末装置との接続を確立できていないと判断すると、前記第１の端末装置との接続を確立できない原因が前記ネットワークの不良である旨を前記第２の端末表示手段で表示し、前記第１の端末装置との接続を確立できたと判断すると、前記第２の端末装置から前記第１の端末装置へ配信要求情報を送信する工程と、
前記配信要求情報に基づいて、前記第１の端末装置から前記第２の画像共有ソフトウェアを前記第２の端末装置へ配信する工程と、
前記第２の端末装置で前記第２の画像共有ソフトウェアが取得されると、前記第２の画像共有ソフトウェアを実行して、前記第２の端末装置と第１の画像共有ソフトウェアに基づき画像共有処理を実施可能な前記第１の端末装置との間で前記画像共有処理を実施する工程と、を実施する
ことを特徴とする画像共有方法。
【請求項１１】
コンピュータを請求項７または請求項８に記載のサーバ装置として機能させることを特徴とする画像共有制御プログラム。
【請求項１２】
請求項１１に記載の画像共有制御プログラムがコンピュータで読取可能に記録されたことを特徴とする画像共有制御プログラムを記録した記録媒体。
【国際調査報告】
2010119522.tif 000023
2010119522.tif 000024
2010119522.tif 000025
2010119522.tif 000026